(57)【要約】      （修正有）【課題】セル結合シナリオにおいて、限られた数の論理ポートをＢＢＵのために構成しても、相対的に低いセル容量が生じることがない通信デバイス、通信方法、通信装置及びＢＢＵを提供する。【解決手段】通信デバイスは、光ファイバーによって接続された、ＢＢＵと、ｎ個の物理アンテナを有するリモート無線ユニットＲＲＵとを備える。ｎは１又は２である。ＢＢＵは、４チャネルの信号を取得し、４チャネルの信号における少なくとも２チャネルの信号に基づいてベースバンドデジタル信号を生成し、ベースバンドデジタル信号を、光ファイバーを通じてＲＲＵに送信する。ここで、４チャネルの信号は、ＢＢＵの４つの論理ポートと１対１の対応関係にある。ＲＲＵは、ベースバンドデジタル信号を無線周波数信号に変換し、ｎ個の物理アンテナを用いることによって無線周波数信号を送信する。【選択図】図１
2018029372.tif 000002
【特許請求の範囲】
【請求項１】
通信デバイスであって、ベースバンドユニットＢＢＵと、ｎ個の物理アンテナを有するリモート無線ユニットＲＲＵとを備え、前記ＢＢＵ及び前記ＲＲＵは光ファイバーを用いることによって接続され、前記ｎは１又は２であり、
前記ＢＢＵは、４チャネルの信号を取得し、前記４チャネルの信号における少なくとも２チャネルの信号に基づいてベースバンドデジタル信号を生成し、前記ベースバンドデジタル信号を、前記光ファイバーを通じて前記ＲＲＵに送信するように構成され、前記４チャネルの信号は、前記ＢＢＵの４つの論理ポートと１対１の対応関係にあり、
前記ＲＲＵは、前記ベースバンドデジタル信号を無線周波数信号に変換し、前記ｎ個の物理アンテナを用いることによって前記無線周波数信号を送信するように構成される、通信デバイス。
【請求項２】
前記ｎは１であり、前記ＢＢＵが、前記４チャネルの信号における少なくとも２チャネルの信号に基づいてベースバンドデジタル信号を生成するように構成されることは、
前記ＢＢＵが、前記４チャネルの信号におけるｍチャネルの信号を合算することによって前記ベースバンドデジタル信号を生成するように構成されることを含み、ここで、前記ｍは２又は３又は４である、請求項１に記載の通信デバイス。
【請求項３】
前記ＢＢＵは、ｍ個の論理ポートを決定するように更に構成され、前記ｍ個の論理ポートに対応する前記ｍチャネルの信号を用いて前記ベースバンドデジタル信号が生成される、請求項２に記載の通信デバイス。
【請求項４】
前記ＢＢＵが前記ｍ個の論理ポートを決定するように構成されることは、
前記ＢＢＵが前記４つの論理ポートの全てを選択するように構成されること、又は、
前記ＢＢＵが前記４つの論理ポートのうちの２つ若しくは３つを選択するように構成されること、
を含む、請求項３に記載の通信デバイス。
【請求項５】
前記ＢＢＵは、前記４つの論理ポートのうちの２つ又は３つを選択するとき、前記４つの論理ポートのうちの選択されていない論理ポートが非接続状態になることを可能にするように更に構成される、請求項４に記載の通信デバイス。
【請求項６】
前記ＢＢＵがｍ個の論理ポートを決定するように構成されることは、
前記ＢＢＵが、前記ｍ個の論理ポートのうちの保存若しくは取得された論理ポート番号に従って、前記ｍ個の論理ポートを決定するように構成されること、又は、
前記ＢＢＵが、前記ｍ個の論理ポートを決定した後、前記ｍ個の論理ポートの論理ポート番号を保存するように更に構成されること、
を含む、請求項３から５のいずれか一項に記載の通信デバイス。
【請求項７】
前記ｎは２であり、前記ベースバンドデジタル信号は第１のベースバンドデジタル信号及び第２のベースバンドデジタル信号を含み、前記ＢＢＵが、前記４チャネルの信号における少なくとも２チャネルの信号に基づいてベースバンドデジタル信号を生成するように構成されることは、
前記ＢＢＵが、前記４チャネルの信号のうちの２つの信号を合算することによって前記第１のベースバンドデジタル信号を生成し、前記４チャネルの信号のうちの他の２つの信号を合算することによって前記第２のベースバンドデジタル信号を生成するように構成されること、又は、
前記ＢＢＵが、前記４チャネルの信号のうちの１つの信号を前記第１のベースバンドデジタル信号として用い、前記４チャネルの信号のうちの別の信号を前記第２のベースバンドデジタル信号として用いるように構成されること、
を含む、請求項１に記載の通信デバイス。
【請求項８】
前記ＲＲＵが、前記ベースバンドデジタル信号を無線周波数信号に変換し、前記ｎ個の物理アンテナを用いることによって前記無線周波数信号を送信するように構成されることは、
前記ＲＲＵが、前記第１のベースバンドデジタル信号を第１の無線周波数信号に変換し、前記第２のベースバンドデジタル信号を第２の無線周波数信号に変換し、前記第１の無線周波数信号を、前記２つの物理アンテナのうちの一方の物理アンテナを用いることによって送信し、前記第２の無線周波数信号を、前記２つの物理アンテナのうちの他方の物理アンテナを用いることによって送信するように構成されることを含む、請求項７に記載の通信デバイス。
【請求項９】
前記ＢＢＵは、第１のポートグループ及び第２のポートグループを決定するように更に構成され、
前記第１のポートグループは前記４つの論理ポートのうちの２つの論理ポートを含み、前記２つの論理ポートに対応する２つの信号を用いて前記第１のベースバンドデジタル信号が生成され、前記第２のポートグループは前記４つの論理ポートのうちの他の２つの論理ポートを含み、前記他の２つの論理ポートに対応する２つの信号を用いて前記第２のベースバンドデジタル信号が生成され、又は、
前記第１のポートグループは前記４つの論理ポートのうちの２つの論理ポートを含み、前記２つの論理ポートのうちの１つの論理ポートに対応する１つの信号が前記第１のベースバンドデジタル信号として用いられ、前記第２のポートグループは前記４つの論理ポートのうちの他の２つの論理ポートを含み、前記他の２つの論理ポートのうちの１つの論理ポートに対応する１つの信号が前記第２のベースバンドデジタル信号として用いられる、請求項７又は８に記載の通信デバイス。
【請求項１０】
前記ＢＢＵは、前記論理ポートのうちのいくつかが非接続状態になることを可能にするように更に構成され、前記論理ポートのうちの前記いくつかは、前記４チャネルの信号のうちの、前記第１のベースバンドデジタル信号及び前記第２のベースバンドデジタル信号を生成するのに用いられない信号と１対１の対応関係にある、請求項９に記載の通信デバイス。
【請求項１１】
前記ＢＢＵが第１のポートグループ及び第２のポートグループを決定するように構成されることは、
前記ＢＢＵが、前記第１のポートグループと前記２つの論理ポートの論理ポート番号との間の対応関係、及び前記第２のポートグループと前記他の２つの論理ポートの論理ポート番号との間の対応関係に従って前記第１のポートグループ及び前記第２のポートグループを決定するように構成されることであって、前記対応関係は保存若しくは取得されること、又は、
前記ＢＢＵが、前記第１のポートグループ及び前記第２のポートグループを決定した後、前記第１のポートグループと前記２つの論理ポートの論理ポート番号との間の対応関係、及び前記第２のポートグループと前記他の２つの論理ポートの論理ポート番号との間の対応関係を保存するように更に構成されること、
を含む、請求項９又は１０に記載の通信デバイス。
【請求項１２】
前記ＲＲＵは、ｎ個のチャネルを有し、前記ｎ個のチャネルは前記ｎ個の物理アンテナと１対１の対応関係にある、請求項１から１１のいずれか一項に記載の通信デバイス。
【請求項１３】
前記通信デバイスは基地局である、請求項１から１２のいずれか一項に記載の通信デバイス。
【請求項１４】
通信方法であって、
ベースバンドユニットＢＢＵが４チャネルの信号を取得するステップであって、前記４チャネルの信号は、前記ＢＢＵの４つの論理ポートと１対１の対応関係にある、ステップと、
前記ＢＢＵが、前記４チャネルの信号における少なくとも２チャネルの信号に基づいてベースバンドデジタル信号を生成するステップと、
前記ＢＢＵが、前記ベースバンドデジタル信号を、ｎ個の物理アンテナを有するリモート無線ユニットＲＲＵに送信し、それによって、前記ＲＲＵが、前記ｎ個の物理アンテナを用いることによって、前記ベースバンドデジタル信号が変換されたものである無線周波数信号を送信するステップであって、前記ｎは１又は２である、ステップと、
を含む、通信方法。
【請求項１５】
前記ｎは１であり、前記ＢＢＵが、前記４チャネルの信号における少なくとも２チャネルの信号に基づいてベースバンドデジタル信号を生成するステップは、
前記ＢＢＵが、前記４チャネルの信号におけるｍチャネルの信号を合算することによって前記ベースバンドデジタル信号を生成するステップを含み、ここで、前記ｍは２又は３又は４である、請求項１４に記載の通信方法。
【請求項１６】
前記通信方法は、前記ＢＢＵがｍ個の論理ポートを決定するステップを更に含み、前記ｍ個の論理ポートに対応する前記ｍチャネルの信号を用いてベースバンドデジタル信号が生成される、請求項１５に記載の通信方法。
【請求項１７】
前記ＢＢＵが前記ｍ個の論理ポートを決定するステップは、
前記ＢＢＵが前記４つの論理ポートの全てを選択するステップ、又は、
前記ＢＢＵが前記４つの論理ポートのうちの２つ若しくは３つを選択するステップ、
を含む、請求項１６に記載の通信方法。
【請求項１８】
前記通信方法は、
前記ＢＢＵが、前記４つの論理ポートのうちの２つ又は３つを選択するとき、前記４つの論理ポートのうちの選択されていない論理ポートが非接続状態になることを可能にするステップを更に含む、請求項１７に記載の通信方法。
【請求項１９】
前記ＢＢＵがｍ個の論理ポートを決定するステップは、前記ＢＢＵが、前記ｍ個の論理ポートのうちの保存若しくは取得された論理ポート番号に従って、前記ｍ個の論理ポートを決定するステップを含み、又は、
前記ＢＢＵがｍ個の論理ポートを決定するステップの後、前記通信方法は、前記ＢＢＵが、前記ｍ個の論理ポートの論理ポート番号を保存するステップを更に含む、請求項１６から１８のいずれか一項に記載の通信方法。
【請求項２０】
前記ｎは２であり、前記ベースバンドデジタル信号は第１のベースバンドデジタル信号及び第２のベースバンドデジタル信号を含み、前記ＢＢＵが、前記４チャネルの信号における少なくとも２チャネルの信号に基づいてベースバンドデジタル信号を生成するステップは、
前記ＢＢＵが、前記４チャネルの信号のうちの２つの信号を合算することによって前記第１のベースバンドデジタル信号を生成し、前記４チャネルの信号のうちの他の２つの信号を合算することによって前記第２のベースバンドデジタル信号を生成するステップ、又は、
前記ＢＢＵが、前記４チャネルの信号のうちの１つの信号を前記第１のベースバンドデジタル信号として用い、前記４チャネルの信号のうちの別の信号を前記第２のベースバンドデジタル信号として用いるステップ、
を含む、請求項１４に記載の通信方法。
【請求項２１】
前記通信方法は、
前記ＲＲＵが、前記ベースバンドデジタル信号を無線周波数信号に変換し、前記ｎ個の物理アンテナを用いることによって前記無線周波数信号を送信するステップを更に含む、請求項１４から２０のいずれか一項に記載の通信方法。
【請求項２２】
前記ｎは２であり、前記ベースバンドデジタル信号は前記第１のベースバンドデジタル信号及び前記第２のベースバンドデジタル信号を含み、前記ＲＲＵが、前記ベースバンドデジタル信号を無線周波数信号に変換し、前記ｎ個の物理アンテナを用いることによって前記無線周波数信号を送信するステップは、
前記ＲＲＵが、前記第１のベースバンドデジタル信号を第１の無線周波数信号に変換し、前記第２のベースバンドデジタル信号を第２の無線周波数信号に変換し、前記第１の無線周波数信号を、前記２つの物理アンテナのうちの一方の物理アンテナを用いることによって送信し、前記第２の無線周波数信号を、前記２つの物理アンテナのうちの他方の物理アンテナを用いることによって送信するステップを含む、請求項２１に記載の通信方法。
【請求項２３】
前記通信方法は、
前記ＢＢＵが、第１のポートグループ及び第２のポートグループを決定するステップを更に含み、
前記第１のポートグループは前記４つの論理ポートのうちの２つの論理ポートを含み、前記２つの論理ポートに対応する２つの信号を用いて前記第１のベースバンドデジタル信号が生成され、前記第２のポートグループは前記４つの論理ポートのうちの他の２つの論理ポートを含み、前記他の２つの論理ポートに対応する２つの信号を用いて前記第２のベースバンドデジタル信号が生成され、又は、
前記第１のポートグループは前記４つの論理ポートのうちの２つの論理ポートを含み、前記２つの論理ポートのうちの１つの論理ポートに対応する１つの信号が前記第１のベースバンドデジタル信号として用いられ、前記第２のポートグループは前記４つの論理ポートのうちの他の２つの論理ポートを含み、前記他の２つの論理ポートのうちの１つの論理ポートに対応する１つの信号が前記第２のベースバンドデジタル信号として用いられる、請求項２０又は２２に記載の通信方法。
【請求項２４】
前記通信方法は、
前記ＢＢＵが、前記論理ポートのうちのいくつかが非接続状態になることを可能にするステップを更に含み、前記論理ポートのうちの前記いくつかは、前記４チャネルの信号のうちの、前記第１のベースバンドデジタル信号及び前記第２のベースバンドデジタル信号を生成するのに用いられない信号と１対１の対応関係にある、請求項２３に記載の通信方法。
【請求項２５】
前記ＢＢＵが第１のポートグループ及び第２のポートグループを決定するステップは、前記ＢＢＵが、前記第１のポートグループと前記２つの論理ポートの論理ポート番号との間の対応関係、及び前記第２のポートグループと他の２つの論理ポートの論理ポート番号との間の対応関係に従って前記第１のポートグループ及び前記第２のポートグループを決定するステップを含み、前記対応関係は保存若しくは取得され、又は、
前記通信方法は、前記第１のポートグループ及び前記第２のポートグループを決定するステップの後、前記ＢＢＵが、前記第１のポートグループと前記２つの論理ポートの論理ポート番号との間の対応関係、及び前記第２のポートグループと前記他の２つの論理ポートの論理ポート番号との間の対応関係を保存するステップを更に含む、請求項２３又は２４に記載の通信方法。
【請求項２６】
通信装置であって、
４チャネルの信号を取得するように構成される取得ユニットであって、前記４チャネルの信号は、前記通信装置の４つの論理ポートと１対１の対応関係にある、取得ユニットと、
前記４チャネルの信号における少なくとも２チャネルの信号に基づいてベースバンドデジタル信号を生成するように構成される処理ユニットと、
前記通信装置によって、前記ベースバンドデジタル信号を、ｎ個の物理アンテナを有するリモート無線ユニットＲＲＵに送信するように構成される送信ユニットであって、それによって、前記ＲＲＵが、前記ｎ個の物理アンテナを用いることによって、前記ベースバンドデジタル信号が変換されたものである無線周波数信号を送信し、前記ｎは１又は２である、送信ユニットと、
を備える、通信装置。
【請求項２７】
前記ｎは１であり、前記処理ユニットが、前記４チャネルの信号における少なくとも２チャネルの信号に基づいてベースバンドデジタル信号を生成するように構成されることは、
前記処理ユニットが、前記４チャネルの信号におけるｍチャネルの信号を合算することによって前記ベースバンドデジタル信号を生成するように構成されることを含み、ここで、前記ｍは２又は３又は４である、請求項２６に記載の通信装置。
【請求項２８】
前記通信装置は、
ｍ個の論理ポートを決定するように構成される第１の決定ユニットを更に備え、前記ｍ個の論理ポートに対応する前記ｍチャネルの信号を用いて前記ベースバンドデジタル信号が生成される、請求項２７に記載の通信装置。
【請求項２９】
前記第１の決定ユニットが前記ｍ個の論理ポートを決定するように構成されることは、
前記第１の決定ユニットが前記４つの論理ポートの全てを選択するように構成されること、又は、
前記第１の決定ユニットが前記４つの論理ポートのうちの２つ若しくは３つを選択するように構成されること、
を含む、請求項２８に記載の通信装置。
【請求項３０】
前記通信装置は、
前記第１の決定ユニットが前記４つの論理ポートのうちの２つ又は３つを選択するとき、前記４つの論理ポートのうちの、前記第１の決定ユニットによって選択されていない論理ポートが非接続状態になることを可能にするように構成される、第１の設定ユニットを更に備える、請求項２９に記載の通信装置。
【請求項３１】
前記第１の決定ユニットがｍ個の論理ポートを決定するように構成されることは、前記第１の決定ユニットが、前記ｍ個の論理ポートのうちの保存若しくは取得された論理ポート番号に従って、前記ｍ個の論理ポートを決定するように構成されることを含み、又は、
前記通信装置は第１の記憶ユニットを更に備え、前記第１の記憶ユニットは、前記第１の決定ユニットが前記ｍ個の論理ポートを決定した後、前記ｍ個の論理ポートの論理ポート番号を保存するように構成される、請求項２８から３０のいずれか一項に記載の通信装置。
【請求項３２】
前記ｎは２であり、前記ベースバンドデジタル信号は第１のベースバンドデジタル信号及び第２のベースバンドデジタル信号を含み、前記処理ユニットが、前記４チャネルの信号における少なくとも２チャネルの信号に基づいてベースバンドデジタル信号を生成することは、
前記処理ユニットが、前記４チャネルの信号のうちの２つの信号を合算することによって前記第１のベースバンドデジタル信号を生成し、前記４チャネルの信号のうちの他の２つの信号を合算することによって前記第２のベースバンドデジタル信号を生成するように構成されること、又は、
前記処理ユニットが、前記４チャネルの信号のうちの１つの信号を前記第１のベースバンドデジタル信号として用い、前記４チャネルの信号のうちの別の信号を前記第２のベースバンドデジタル信号として用いるように構成されること、
を含む、請求項２６に記載の通信装置。
【請求項３３】
前記通信装置は、
第１のポートグループ及び第２のポートグループを決定するように構成される第２の決定ユニットを更に備え、
前記第１のポートグループは前記４つの論理ポートのうちの２つの論理ポートを含み、前記２つの論理ポートに対応する２つの信号を用いて前記第１のベースバンドデジタル信号が生成され、前記第２のポートグループは前記４つの論理ポートのうちの他の２つの論理ポートを含み、前記他の２つの論理ポートに対応する２つの信号を用いて前記第２のベースバンドデジタル信号が生成され、又は、
前記第１のポートグループは前記４つの論理ポートのうちの２つの論理ポートを含み、前記２つの論理ポートのうちの１つの論理ポートに対応する１つの信号が前記第１のベースバンドデジタル信号として用いられ、前記第２のポートグループは前記４つの論理ポートのうちの他の２つの論理ポートを含み、前記他の２つの論理ポートのうちの１つの論理ポートに対応する１つの信号が前記第２のベースバンドデジタル信号として用いられる、請求項３２に記載の通信装置。
【請求項３４】
前記通信装置は、前記論理ポートのうちのいくつかが非接続状態になることを可能にするように構成される第２の設定ユニットを更に備え、前記論理ポートのうちの前記いくつかは、前記４チャネルの信号のうちの、前記第１のベースバンドデジタル信号及び前記第２のベースバンドデジタル信号を生成するのに用いられない信号と１対１の対応関係にある、請求項３３に記載の通信装置。
【請求項３５】
前記第２の決定ユニットが第１のポートグループ及び第２のポートグループを決定するように構成されることは、前記第２の決定ユニットが、前記第１のポートグループと前記２つの論理ポートの論理ポート番号との間の対応関係、及び前記第２のポートグループと他の２つの論理ポートの論理ポート番号との間の対応関係に従って前記第１のポートグループ及び前記第２のポートグループを決定するように構成されることを含み、前記対応関係はメモリによって保存されるか若しくは受信ユニットによって取得され、又は、
前記通信装置は、前記第２の決定ユニットが前記第１のポートグループ及び前記第２のポートグループを決定した後、前記第１のポートグループと前記２つの論理ポートの論理ポート番号との間の対応関係、及び前記第２のポートグループと前記他の２つの論理ポートの論理ポート番号との間の対応関係を保存するように構成される第２の記憶ユニットを更に備える、請求項３３又は３４に記載の通信装置。
【請求項３６】
前記通信装置はベースバンドユニットＢＢＵである、請求項２６から３５のいずれか一項に記載の通信装置。
【請求項３７】
ベースバンドユニットＢＢＵであって、プロセッサと、メモリと、前記プロセッサ及び前記メモリを接続するデータバスとを備え、
前記プロセッサは４チャネルの信号を取得するように構成され、前記４チャネルの信号は、前記ＢＢＵの４つの論理ポートと１対１の対応関係にあり、
前記プロセッサは、前記４チャネルの信号における少なくとも２チャネルの信号に基づいてベースバンドデジタル信号を生成するように更に構成され、
前記プロセッサは、前記ベースバンドデジタル信号を、ｎ個の物理アンテナを有するリモート無線ユニットＲＲＵに送信するように更に構成され、それによって、前記ＲＲＵが、前記ｎ個の物理アンテナを用いることによって、前記ベースバンドデジタル信号が変換されたものである無線周波数信号を送信し、前記ｎは１又は２である、ＢＢＵ。
【請求項３８】
前記ｎは１であり、前記プロセッサが、前記４チャネルの信号における少なくとも２チャネルの信号に基づいてベースバンドデジタル信号を生成するように構成されることは、
前記プロセッサが、前記４チャネルの信号におけるｍチャネルの信号を合算することによって前記ベースバンドデジタル信号を生成するように構成されることを含み、ここで、前記ｍは２又は３又は４である、請求項３７に記載のＢＢＵ。
【請求項３９】
前記プロセッサは、ｍ個の論理ポートを決定するように更に構成され、前記ｍ個の論理ポートに対応する前記ｍチャネルの信号を用いて前記ベースバンドデジタル信号が生成される、請求項３８に記載のＢＢＵ。
【請求項４０】
前記プロセッサが前記ｍ個の論理ポートを決定するように構成されることは、
前記プロセッサが前記４つの論理ポートの全てを選択するように構成されること、又は、
前記プロセッサが前記４つの論理ポートのうちの２つ若しくは３つを選択するように構成されること、
を含む、請求項３９に記載のＢＢＵ。
【請求項４１】
前記プロセッサは、前記４つの論理ポートのうちの２つ又は３つを選択するとき、前記４つの論理ポートのうちの選択されていない論理ポートが非接続状態になることを可能にするように更に構成される、請求項４０に記載のＢＢＵ。
【請求項４２】
前記プロセッサがｍ個の論理ポートを決定するように構成されることは、前記プロセッサが、前記ｍ個の論理ポートのうちの保存若しくは取得された論理ポート番号に従って、前記ｍ個の論理ポートを決定するように構成されることを含み、又は、
前記プロセッサが前記ｍ個の論理ポートを決定するように構成された後、前記メモリは、前記ｍ個の論理ポートの論理ポート番号を保存するように構成される、請求項３９から４１のいずれか一項に記載のＢＢＵ。
【請求項４３】
前記ｎは２であり、前記ベースバンドデジタル信号は第１のベースバンドデジタル信号及び第２のベースバンドデジタル信号を含み、前記プロセッサが、前記４チャネルの信号における少なくとも２チャネルの信号に基づいてベースバンドデジタル信号を生成することは、
前記プロセッサが、前記４チャネルの信号のうちの２つの信号を合算することによって前記第１のベースバンドデジタル信号を生成し、前記４チャネルの信号のうちの他の２つの信号を合算することによって前記第２のベースバンドデジタル信号を生成するように構成されること、又は、
前記プロセッサが、前記４チャネルの信号のうちの１つの信号を前記第１のベースバンドデジタル信号として用い、前記４チャネルの信号のうちの別の信号を前記第２のベースバンドデジタル信号として用いるように構成されること、
を含む、請求項３７に記載のＢＢＵ。
【請求項４４】
前記プロセッサは、第１のポートグループ及び第２のポートグループを決定するように更に構成され、
前記第１のポートグループは前記４つの論理ポートのうちの２つの論理ポートを含み、前記２つの論理ポートに対応する２つの信号を用いて前記第１のベースバンドデジタル信号が生成され、前記第２のポートグループは前記４つの論理ポートのうちの他の２つの論理ポートを含み、前記他の２つの論理ポートに対応する２つの信号を用いて前記第２のベースバンドデジタル信号が生成され、又は、
前記第１のポートグループは前記４つの論理ポートのうちの２つの論理ポートを含み、前記２つの論理ポートのうちの１つの論理ポートに対応する１つの信号が前記第１のベースバンドデジタル信号として用いられ、前記第２のポートグループは前記４つの論理ポートのうちの他の２つの論理ポートを含み、前記他の２つの論理ポートのうちの１つの論理ポートに対応する１つの信号が前記第２のベースバンドデジタル信号として用いられる、請求項４３に記載のＢＢＵ。
【請求項４５】
前記プロセッサは、前記論理ポートのうちのいくつかが非接続状態になることを可能にするように更に構成され、前記論理ポートのうちの前記いくつかは、前記４チャネルの信号のうちの、前記第１のベースバンドデジタル信号及び前記第２のベースバンドデジタル信号を生成するのに用いられない信号と１対１の対応関係にある、請求項４４に記載のＢＢＵ。
【請求項４６】
前記プロセッサが第１のポートグループ及び第２のポートグループを決定するように構成されることは、前記プロセッサが、前記第１のポートグループと前記２つの論理ポートの論理ポート番号との間の対応関係、及び前記第２のポートグループと前記他の２つの論理ポートの論理ポート番号との間の対応関係に従って前記第１のポートグループ及び前記第２のポートグループを決定するように構成されることを含み、前記対応関係は前記メモリによって保存されるか若しくは前記プロセッサによって取得され、又は、
前記メモリは、前記プロセッサが、前記第１のポートグループ及び前記第２のポートグループを決定した後、前記第１のポートグループと前記２つの論理ポートの論理ポート番号との間の対応関係、及び前記第２のポートグループと前記他の２つの論理ポートの論理ポート番号との間の対応関係を保存するように更に構成される、請求項４４又は４５に記載のＢＢＵ。
【発明の詳細な説明】
【技術分野】
【０００１】
本発明は通信分野に関し、より詳細には、セル結合システムにおいて用いられる通信方法及びデバイスに関する。
【背景技術】
【０００２】
現在、ロングタームエボリューション（Ｌｏｎｇ  Ｔｅｒｍ  Ｅｖｏｌｕｔｉｏｎ，ＬＴＥ）ネットワークの研究の焦点は、セルカバレッジを完全なものにし、信号品質を改善するために、異なるタイプ（例えば、シングルチャネル又はマルチチャネル）のリモート無線ユニット（Ｒｅｍｏｔｅ  Ｒａｄｉｏ  Ｕｎｉｔ，ＲＲＵ）のカバレッジエリアをどのように組み合わせるかである。例えば、ネットワーキングのためにＮ１チャネルＲＲＵ及びＮ２チャネルＲＲＵが用いられる。このタイプのネットワーキングは、略してＮ１＋Ｎ２結合と呼ぶことができ、シナリオも、Ｎ１＋Ｎ２セル結合と呼ぶことができる。別の例として、Ｎ１チャネルＲＲＵ、Ｎ２チャネルＲＲＵ及びＮ３チャネルＲＲＵがネットワーキングのために用いられる。このタイプのネットワーキングは、略してＮ１＋Ｎ２＋Ｎ３結合と呼ぶことができ、シナリオもＮ１＋Ｎ２＋Ｎ３セル結合と呼ぶことができる。更に別の例として、Ｎ１チャネルＲＲＵ、Ｎ２チャネルＲＲＵ、Ｎ３チャネルＲＲＵ及びＮ４チャネルＲＲＵがネットワーキングのために用いられる。このタイプのネットワーキングは、略してＮ１＋Ｎ２＋Ｎ３＋Ｎ４結合と呼ぶことができ、シナリオもＮ１＋Ｎ２＋Ｎ３＋Ｎ４セル結合と呼ぶことができる。Ｎ１、Ｎ２、Ｎ３及びＮ４は、１又は２又は４又は８であり得る。
【０００３】
一方、従来技術では、セル結合シナリオにおいて、限られた数の論理ポートしかベースバンドユニット（Ｂａｓｅ  Ｂａｎｄ  Ｕｎｉｔ，ＢＢＵ）のために構成することができず、ＢＢＵのために構成される論理ポートの数は、シナリオにおける最小数のチャネルを有するＲＲＵの物理アンテナの数以下でなくてはならない。例えば、Ｎ１＋Ｎ２のシナリオでは、Ｎ１は８であり、Ｎ２は１である。ＢＢＵのために構成される論理ポートの数はＮ２チャネルＲＲＵの物理アンテナの数以下である必要があるため、１つの論理ポートしかＢＢＵのために構成することができない。このとき、ＢＢＵはＮ１チャネルＲＲＵのために１つの論理ポートに対応する信号しか送信することができず、Ｎ１チャネルＲＲＵを用いることによって信号を送信し、それによって低セル容量が生じる。
【発明の概要】
【０００４】
本発明の実施形態は、セル結合シナリオにおいて、限られた数の論理ポートしかＢＢＵのために構成することができず、ＢＢＵのために構成される論理ポートの数は、シナリオにおける最小数のチャネルを有するＲＲＵの物理アンテナの数以下でなくてはならないことに起因して、相対的に低いセル容量が生じるという既存の問題を解決することができる、通信デバイス、通信方法、通信装置及びＢＢＵを提供する。
【０００５】
第１の態様によれば、通信デバイスが提供され、この通信デバイスは、ＢＢＵと、ｎ個の物理アンテナを有するＲＲＵとを備え；ＢＢＵ及びＲＲＵは光ファイバーを用いることによって接続され；ｎは１又は２であり；ＢＢＵは：４チャネルの信号を取得し；４チャネルの信号における少なくとも２チャネルの信号に基づいてベースバンドデジタル信号を生成し；ベースバンドデジタル信号を、光ファイバーを通じてＲＲＵに送信するように構成され、ここで、４チャネルの信号は、ＢＢＵの４つの論理ポートと１対１の対応関係にあり；ＲＲＵは、ベースバンドデジタル信号を無線周波数信号に変換し、ｎ個の物理アンテナを用いることによって無線周波数信号を送信するように構成される。
【０００６】
第１の態様を参照して、第１の態様の第１の可能な実施方式において、ｎは１であり、ＢＢＵが、４チャネルの信号における少なくとも２チャネルの信号に基づいてベースバンドデジタル信号を生成するように構成されることは：ＢＢＵが、４チャネルの信号におけるｍチャネルの信号を合算することによってベースバンドデジタル信号を生成するように構成されることを含み、ここで、ｍは２又は３又は４である。
【０００７】
第１の態様の第１の可能な実施方式を参照して、第１の態様の第２の可能な実施方式において、ＢＢＵは、ｍ個の論理ポートを決定するように更に構成され、ｍ個の論理ポートに対応するｍチャネルの信号を用いてベースバンドデジタル信号が生成される。
【０００８】
第１の態様の第２の可能な実施方式を参照して、第１の態様の第３の可能な実施方式において、ＢＢＵがｍ個の論理ポートを決定するように構成されることは：ＢＢＵが４つの論理ポートの全てを選択するように構成されること：又は、ＢＢＵが４つの論理ポートのうちの２つ若しくは３つを選択するように構成されることを含む。
【０００９】
第１の態様の第３の可能な実施方式を参照して、第１の態様の第４の可能な実施方式において、ＢＢＵは：４つの論理ポートのうちの２つ又は３つを選択するとき、４つの論理ポートのうちの選択されていない論理ポートが非接続状態になることを可能にするように更に構成される。
【００１０】
第１の態様の第２、第３又は第４の可能な実施方式を参照して、第１の態様の第５の可能な実施方式において、ＢＢＵがｍ個の論理ポートを決定するように構成されることは：ＢＢＵが、ｍ個の論理ポートのうちの保存若しくは取得された論理ポート番号に従って、ｍ個の論理ポートを決定するように構成されること；又は、ＢＢＵが；ｍ個の論理ポートを決定した後、ｍ個の論理ポートの論理ポート番号を保存するように更に構成されることを含む。
【００１１】
第１の態様を参照して、第１の態様の第６の可能な実施方式において、ｎは２であり、ベースバンドデジタル信号は第１のベースバンドデジタル信号及び第２のベースバンドデジタル信号を含み、ＢＢＵが、４チャネルの信号における少なくとも２チャネルの信号に基づいてベースバンドデジタル信号を生成するように構成されることは：ＢＢＵが、４チャネルの信号のうちの２つの信号を合算することによって第１のベースバンドデジタル信号を生成し、４チャネルの信号のうちの他の２つの信号を合算することによって第２のベースバンドデジタル信号を生成するように構成されること；又は、ＢＢＵが、４チャネルの信号のうちの１つの信号を第１のベースバンドデジタル信号として用い、４チャネルの信号のうちの別の信号を第２のベースバンドデジタル信号として用いるように構成されることを含む。
【００１２】
第１の態様の第６の可能な実施方式を参照して、第１の態様の第７の可能な実施方式において、ＲＲＵが、ベースバンドデジタル信号を無線周波数信号に変換し、ｎ個の物理アンテナを用いることによって無線周波数信号を送信するように構成されることは：ＲＲＵが、第１のベースバンドデジタル信号を第１の無線周波数信号に変換し、第２のベースバンドデジタル信号を第２の無線周波数信号に変換し、第１の無線周波数信号を、２つの物理アンテナのうちの一方の物理アンテナを用いることによって送信し、第２の無線周波数信号を、２つの物理アンテナのうちの他方の物理アンテナを用いることによって送信するように構成されることを含む。
【００１３】
第１の態様の第６又は第７の可能な実施方式を参照して、第１の態様の第８の可能な実施方式において、ＢＢＵは、第１のポートグループ及び第２のポートグループを決定するように更に構成され、第１のポートグループは４つの論理ポートのうちの２つの論理ポートを含み、２つの論理ポートに対応する２つの信号を用いて第１のベースバンドデジタル信号が生成され；第２のポートグループは４つの論理ポートのうちの他の２つの論理ポートを含み、他の２つの論理ポートに対応する２つの信号を用いて第２のベースバンドデジタル信号が生成され；又は、第１のポートグループは４つの論理ポートのうちの２つの論理ポートを含み、２つの論理ポートのうちの１つの論理ポートに対応する１つの信号が第１のベースバンドデジタル信号として用いられ；第２のポートグループは４つの論理ポートのうちの他の２つの論理ポートを含み、他の２つの論理ポートのうちの１つの論理ポートに対応する１つの信号が第２のベースバンドデジタル信号として用いられる。
【００１４】
第１の態様の第８の可能な実施方式を参照して、第１の態様の第９の可能な実施方式において、ＢＢＵは、論理ポートのうちのいくつかが非接続状態になることを可能にするように更に構成され、論理ポートのうちのいくつかは、４チャネルの信号のうちの、第１のベースバンドデジタル信号及び第２のベースバンドデジタル信号を生成するのに用いられない信号と１対１の対応関係にある。
【００１５】
第１の態様の第８又は第９の可能な実施方式を参照して、第１の態様の第１０の可能な実施方式において、ＢＢＵが第１のポートグループ及び第２のポートグループを決定するように構成されることは、ＢＢＵが、第１のポートグループと２つの論理ポートの論理ポート番号との間の対応関係、及び第２のポートグループと他の２つの論理ポートの論理ポート番号との間の対応関係に従って第１のポートグループ及び第２のポートグループを決定するように構成されることであって、対応関係は保存若しくは取得されること；又は、ＢＢＵが：第１のポートグループ及び第２のポートグループを決定した後、第１のポートグループと２つの論理ポートの論理ポート番号との間の対応関係、及び第２のポートグループと他の２つの論理ポートの論理ポート番号との間の対応関係を保存するように構成されることを含む。
【００１６】
第１の態様、又は第１の態様の第１〜第１０の可能な実施方式のうちのいずれか１つを参照して、第１の態様の第１１の可能な実施方式において、ＲＲＵは、ｎ個のチャネルを有し、ｎ個のチャネルはｎ個の物理アンテナと１対１の対応関係にある。
【００１７】
第１の態様、又は第１の態様の第１〜第１１の可能な実施方式のうちのいずれか１つを参照して、第１の態様の第１２の可能な実施方式において、デバイスは基地局である。
【００１８】
第２の態様によれば、通信方法が提供され、本方法は：ＢＢＵが４チャネルの信号を取得するステップであって、４チャネルの信号は、ＢＢＵの４つの論理ポートと１対１の対応関係にある、ステップと；ＢＢＵが、４チャネルの信号における少なくとも２チャネルの信号に基づいてベースバンドデジタル信号を生成するステップと；ＢＢＵが、ベースバンドデジタル信号を、ｎ個の物理アンテナを有するＲＲＵに送信し、それによって、ＲＲＵが、ｎ個の物理アンテナを用いることによって、ベースバンドデジタル信号が変換されたものである無線周波数信号を送信するステップとを含み、ｎは１又は２である。
【００１９】
第２の態様を参照して、第２の態様の第１の可能な実施方式において、ｎは１であり、ＢＢＵが、４チャネルの信号における少なくとも２チャネルの信号に基づいてベースバンドデジタル信号を生成するステップは；ＢＢＵが、４チャネルの信号におけるｍチャネルの信号を合算することによってベースバンドデジタル信号を生成するステップを含み、ここで、ｍは２又は３又は４である。
【００２０】
第２の態様の第１の可能な実施方式を参照して、第２の態様の第２の可能な実施方式において、本方法は、ＢＢＵがｍ個の論理ポートを決定するステップを更に含み、ここで、ｍ個の論理ポートに対応するｍチャネルの信号を用いてベースバンドデジタル信号が生成される。
【００２１】
第２の態様の第２の可能な実施方式を参照して、第２の態様の第３の可能な実施方式において、ＢＢＵがｍ個の論理ポートを決定するステップは：ＢＢＵが４つの論理ポートの全てを選択するステップ；又は、ＢＢＵが４つの論理ポートのうちの２つ若しくは３つを選択するステップを含む。
【００２２】
第２の態様の第３の可能な実施方式を参照して、第２の態様の第４の可能な実施方式において、本方法は、：ＢＢＵが、４つの論理ポートのうちの２つ又は３つを選択するとき、４つの論理ポートのうちの選択されていない論理ポートが非接続状態になることを可能にするステップを更に含む。
【００２３】
第２の態様の第２〜第４の可能な実施方式のうちのいずれか１つを参照して、第２の態様の第５の可能な実施方式において、ＢＢＵがｍ個の論理ポートを決定するステップは：ＢＢＵが、ｍ個の論理ポートのうちの保存若しくは取得された論理ポート番号に従って、ｍ個の論理ポートを決定するステップを含み；又は、ＢＢＵがｍ個の論理ポートを決定するステップの後、本方法は、ＢＢＵが、ｍ個の論理ポートの論理ポート番号を保存するステップを更に含む。
【００２４】
第２の態様を参照して、第２の態様の第６の可能な実施方式において、ｎは２であり、ベースバンドデジタル信号は第１のベースバンドデジタル信号及び第２のベースバンドデジタル信号を含み；ＢＢＵが、４チャネルの信号における少なくとも２チャネルの信号に基づいてベースバンドデジタル信号を生成するステップは：ＢＢＵが、４チャネルの信号のうちの２つの信号を合算することによって第１のベースバンドデジタル信号を生成し、４チャネルの信号のうちの他の２つの信号を合算することによって第２のベースバンドデジタル信号を生成するステップ；又は、ＢＢＵが、４チャネルの信号のうちの１つの信号を第１のベースバンドデジタル信号として用い、４チャネルの信号のうちの別の信号を第２のベースバンドデジタル信号として用いるステップを含む。
【００２５】
第２の態様、又は第２の態様の第１〜第６の可能な実施方式のうちのいずれか１つを参照して、第２の態様の第７の可能な実施方式において、本方法は：ＲＲＵが、ベースバンドデジタル信号を無線周波数信号に変換し、ｎ個の物理アンテナを用いることによって無線周波数信号を送信するステップを更に含む。
【００２６】
第２の態様の第７の可能な実施方式を参照して、第２の態様の第８の可能な実施方式において、ｎは２であり、ベースバンドデジタル信号は第１のベースバンドデジタル信号及び第２のベースバンドデジタル信号を含み、ＲＲＵが、ベースバンドデジタル信号を無線周波数信号に変換し、ｎ個の物理アンテナを用いることによって無線周波数信号を送信するステップは：ＲＲＵが、第１のベースバンドデジタル信号を第１の無線周波数信号に変換し、第２のベースバンドデジタル信号を第２の無線周波数信号に変換し、第１の無線周波数信号を、２つの物理アンテナのうちの一方の物理アンテナを用いることによって送信し、第２の無線周波数信号を、２つの物理アンテナのうちの他方の物理アンテナを用いることによって送信するステップを含む。
【００２７】
第２の態様の第６又は第８の可能な実施方式を参照して、第２の態様の第９の可能な実施方式において、本方法は：ＢＢＵが、第１のポートグループ及び第２のポートグループを決定するステップを更に含み、第１のポートグループは４つの論理ポートのうちの２つの論理ポートを含み、２つの論理ポートに対応する２つの信号を用いて第１のベースバンドデジタル信号が生成され；第２のポートグループは４つの論理ポートのうちの他の２つの論理ポートを含み、他の２つの論理ポートに対応する２つの信号を用いて第２のベースバンドデジタル信号が生成され；又は、第１のポートグループは４つの論理ポートのうちの２つの論理ポートを含み、２つの論理ポートのうちの１つの論理ポートに対応する１つの信号が第１のベースバンドデジタル信号として用いられ；第２のポートグループは４つの論理ポートのうちの他の２つの論理ポートを含み、他の２つの論理ポートのうちの１つの論理ポートに対応する１つの信号が第２のベースバンドデジタル信号として用いられる。
【００２８】
第２の態様の第９の可能な実施方式を参照して、第２の態様の第１０の可能な実施方式において、本方法は：ＢＢＵが、論理ポートのうちのいくつかが非接続状態になることを可能にするステップを更に含み、ここで、論理ポートのうちのいくつかは、４チャネルの信号のうちの、第１のベースバンドデジタル信号及び第２のベースバンドデジタル信号を生成するのに用いられない信号と１対１の対応関係にある。
【００２９】
第２の態様の第９又は第１０の可能な実施方式を参照して、第２の態様の第１１の可能な実施方式において、ＢＢＵが第１のポートグループ及び第２のポートグループを決定するステップは：ＢＢＵが、第１のポートグループと２つの論理ポートの論理ポート番号との間の対応関係、及び第２のポートグループと他の２つの論理ポートの論理ポート番号との間の対応関係に従って第１のポートグループ及び第２のポートグループを決定するステップを含み、ここで対応関係は保存若しくは取得され；又は、本方法は、第１のポートグループ及び第２のポートグループを決定するステップの後、ＢＢＵが、第１のポートグループと２つの論理ポートの論理ポート番号との間の対応関係、及び第２のポートグループと他の２つの論理ポートの論理ポート番号との間の対応関係を保存するステップを更に含む。
【００３０】
第３の態様によれば、通信装置が提供され、本装置は：４チャネルの信号を取得するように構成される取得ユニットであって、４チャネルの信号は、通信装置の４つの論理ポートと１対１の対応関係にある、取得ユニットと；４チャネルの信号における少なくとも２チャネルの信号に基づいてベースバンドデジタル信号を生成するように構成される処理ユニットと；通信装置によって、ベースバンドデジタル信号を、ｎ個の物理アンテナを有するＲＲＵに送信するように構成される送信ユニットであって、それによって、ＲＲＵが、ｎ個の物理アンテナを用いることによって、ベースバンドデジタル信号が変換されたものである無線周波数信号を送信し、ｎは１又は２である、送信ユニットとを備える。
【００３１】
第３の態様を参照して、第３の態様の第１の可能な実施方式において、ｎは１であり、処理ユニットが、４チャネルの信号における少なくとも２チャネルの信号に基づいてベースバンドデジタル信号を生成するように構成されることは：処理ユニットが、４チャネルの信号におけるｍチャネルの信号を合算することによってベースバンドデジタル信号を生成するように構成されることを含み、ここで、ｍは２又は３又は４である。
【００３２】
第３の態様の第１の可能な実施方式を参照して、第３の態様の第２の可能な実施方式において、本装置は：ｍ個の論理ポートを決定するように構成される第１の決定ユニットを更に備え、ｍ個の論理ポートに対応するｍチャネルの信号を用いてベースバンドデジタル信号が生成される。
【００３３】
第３の態様の第２の可能な実施方式を参照して、第３の態様の第３の可能な実施方式において、第１の決定ユニットがｍ個の論理ポートを決定するように構成されることは：第１の決定ユニットが４つの論理ポートの全てを選択するように構成されること；又は、第１の決定ユニットが４つの論理ポートのうちの２つ若しくは３つを選択するように構成されることを含む。
【００３４】
第３の態様の第３の可能な実施方式を参照して、第３の態様の第４の可能な実施方式において、本装置は：第１の決定ユニットが４つの論理ポートのうちの２つ又は３つを選択するとき、４つの論理ポートのうちの、第１の決定ユニットによって選択されていない論理ポートが非接続状態になることを可能にするように構成される、第１の設定ユニットを更に備える。
【００３５】
第３の態様の第２〜第４の可能な実施方式のいずれか１つを参照して、第３の態様の第５の可能な実施方式において、第１の決定ユニットがｍ個の論理ポートを決定するように構成されることは：第１の決定ユニットが、ｍ個の論理ポートのうちの保存若しくは取得された論理ポート番号に従って、ｍ個の論理ポートを決定するように構成されることを含み；又は、本装置は第１の記憶ユニットを更に備え、ここで、第１の記憶ユニットは：第１の決定ユニットがｍ個の論理ポートを決定した後、ｍ個の論理ポートの論理ポート番号を保存するように構成される。
【００３６】
第３の態様を参照して、第３の態様の第６の可能な実施方式において、ｎは２であり、ベースバンドデジタル信号は第１のベースバンドデジタル信号及び第２のベースバンドデジタル信号を含み；処理ユニットが、４チャネルの信号における少なくとも２チャネルの信号に基づいてベースバンドデジタル信号を生成することは：処理ユニットが、４チャネルの信号のうちの２つの信号を合算することによって第１のベースバンドデジタル信号を生成し、４チャネルの信号のうちの他の２つの信号を合算することによって第２のベースバンドデジタル信号を生成するように構成されること；又は、処理ユニットが、４チャネルの信号のうちの１つの信号を第１のベースバンドデジタル信号として用い、４チャネルの信号のうちの別の信号を第２のベースバンドデジタル信号として用いるように構成されることを含む。
【００３７】
第３の態様の第６の可能な実施方式を参照して、第３の態様の第７の可能な実施方式において、本装置は：第１のポートグループ及び第２のポートグループを決定するように構成される第２の決定ユニットを更に備え、ここで、第１のポートグループは４つの論理ポートのうちの２つの論理ポートを含み、２つの論理ポートに対応する２つの信号を用いて第１のベースバンドデジタル信号が生成され；第２のポートグループは４つの論理ポートのうちの他の２つの論理ポートを含み、他の２つの論理ポートに対応する２つの信号を用いて第２のベースバンドデジタル信号が生成され；又は、第１のポートグループは４つの論理ポートのうちの２つの論理ポートを含み、２つの論理ポートのうちの１つの論理ポートに対応する１つの信号が第１のベースバンドデジタル信号として用いられ；第２のポートグループは４つの論理ポートのうちの他の２つの論理ポートを含み、他の２つの論理ポートのうちの１つの論理ポートに対応する１つの信号が第２のベースバンドデジタル信号として用いられる。
【００３８】
第３の態様の第７の可能な実施方式を参照して、第３の態様の第８の可能な実施方式において、本装置は：論理ポートのうちのいくつかが非接続状態になることを可能にするように構成される第２の設定ユニットを更に備え、ここで、論理ポートのうちのいくつかは、４チャネルの信号のうちの、第１のベースバンドデジタル信号及び第２のベースバンドデジタル信号を生成するのに用いられない信号と１対１の対応関係にある。
【００３９】
第３の態様の第７又は第８の可能な実施方式を参照して、第３の態様の第９の可能な実施方式において、第２の決定ユニットが第１のポートグループ及び第２のポートグループを決定するように構成されることは：第２の決定ユニットが、第１のポートグループと２つの論理ポートの論理ポート番号との間の対応関係、及び第２のポートグループと他の２つの論理ポートの論理ポート番号との間の対応関係に従って第１のポートグループ及び第２のポートグループを決定するように構成されることを含み、ここで、対応関係はメモリによって保存されるか若しくは受信ユニットによって取得され；又は、本装置は：第２の決定ユニットが第１のポートグループ及び第２のポートグループを決定した後、第１のポートグループと２つの論理ポートの論理ポート番号との間の対応関係、及び第２のポートグループと他の２つの論理ポートの論理ポート番号との間の対応関係を保存するように構成される第２の記憶ユニットを更に備える。
【００４０】
第３の態様、又は第３の態様の第１〜第９の可能な実施方式のうちのいずれか１つを参照して、第３の態様の第１０の可能な実施方式において、本装置はＢＢＵである。
【００４１】
第４の態様によれば、ＢＢＵが提供され、ここで、ＢＢＵは、プロセッサと、メモリと、プロセッサ及びメモリを接続するデータバスとを備え、ここで：プロセッサは４チャネルの信号を取得するように構成され、ここで、４チャネルの信号は、ＢＢＵの４つの論理ポートと１対１の対応関係にあり；プロセッサは、４チャネルの信号における少なくとも２チャネルの信号に基づいてベースバンドデジタル信号を生成するように更に構成され；プロセッサは、ベースバンドデジタル信号を、ｎ個の物理アンテナを有するＲＲＵに送信するように更に構成され、それによって、ＲＲＵが、ｎ個の物理アンテナを用いることによって、ベースバンドデジタル信号が変換されたものである無線周波数信号を送信し、ｎは１又は２である。
【００４２】
第４の態様を参照して、第４の態様の第１の可能な実施方式において、ｎは１であり、プロセッサが、４チャネルの信号における少なくとも２チャネルの信号に基づいてベースバンドデジタル信号を生成するように構成されることは：プロセッサが、４チャネルの信号におけるｍチャネルの信号を合算することによってベースバンドデジタル信号を生成するように構成されることを含み、ここで、ｍは２又は３又は４である。
【００４３】
第４の態様の第１の可能な実施方式を参照して、第４の態様の第２の可能な実施方式において、プロセッサは、ｍ個の論理ポートを決定するように更に構成され、ここで、ｍ個の論理ポートに対応するｍチャネルの信号を用いてベースバンドデジタル信号が生成される。
【００４４】
第４の態様の第２の可能な実施方式を参照して、第４の態様の第３の可能な実施方式において、プロセッサがｍ個の論理ポートを決定するように構成されることは：プロセッサが４つの論理ポートの全てを選択するように構成されること；又は、プロセッサが４つの論理ポートのうちの２つ若しくは３つを選択するように構成されることを含む。
【００４５】
第４の態様の第３の可能な実施方式を参照して、第４の態様の第４の可能な実施方式において、プロセッサは：４つの論理ポートのうちの２つ又は３つを選択するとき、４つの論理ポートのうちの選択されていない論理ポートが非接続状態になることを可能にするように更に構成される。
【００４６】
第４の態様の第２〜第４の可能な実施方式のうちの１つを参照して、第４の態様の第５の可能な実施方式において、プロセッサがｍ個の論理ポートを決定するように構成されることは：プロセッサが、ｍ個の論理ポートのうちの保存若しくは取得された論理ポート番号に従って、ｍ個の論理ポートを決定するように構成されることを含み；又は、プロセッサがｍ個の論理ポートを決定するように構成された後、メモリは、ｍ個の論理ポートの論理ポート番号を保存するように構成される。
【００４７】
第４の態様を参照して、第４の態様の第６の可能な実施方式において、ｎは２であり、ベースバンドデジタル信号は第１のベースバンドデジタル信号及び第２のベースバンドデジタル信号を含み、プロセッサが、４チャネルの信号における少なくとも２チャネルの信号に基づいてベースバンドデジタル信号を生成することは：プロセッサが、４チャネルの信号のうちの２つの信号を合算することによって第１のベースバンドデジタル信号を生成し、４チャネルの信号のうちの他の２つの信号を合算することによって第２のベースバンドデジタル信号を生成するように構成されること；又は、プロセッサが、４チャネルの信号のうちの１つの信号を第１のベースバンドデジタル信号として用い、４チャネルの信号のうちの別の信号を第２のベースバンドデジタル信号として用いるように構成されることを含む。
【００４８】
第４の態様の第６の可能な実施方式を参照して、第４の態様の第７の可能な実施方式において、プロセッサは、第１のポートグループ及び第２のポートグループを決定するように更に構成され、ここで、第１のポートグループは４つの論理ポートのうちの２つの論理ポートを含み、２つの論理ポートに対応する２つの信号を用いて第１のベースバンドデジタル信号が生成され；第２のポートグループは４つの論理ポートのうちの他の２つの論理ポートを含み、他の２つの論理ポートに対応する２つの信号を用いて第２のベースバンドデジタル信号が生成され；又は、第１のポートグループは４つの論理ポートのうちの２つの論理ポートを含み、２つの論理ポートのうちの１つの論理ポートに対応する１つの信号が第１のベースバンドデジタル信号として用いられ；第２のポートグループは４つの論理ポートのうちの他の２つの論理ポートを含み、他の２つの論理ポートのうちの１つの論理ポートに対応する１つの信号が第２のベースバンドデジタル信号として用いられる。
【００４９】
第４の態様の第７の可能な実施方式を参照して、第４の態様の第８の可能な実施方式において、プロセッサは、論理ポートのうちのいくつかが非接続状態になることを可能にするように更に構成され、ここで、論理ポートのうちのいくつかは、４チャネルの信号のうちの、第１のベースバンドデジタル信号及び第２のベースバンドデジタル信号を生成するのに用いられない信号と１対１の対応関係にある。
【００５０】
第４の態様の第７又は第８の可能な実施方式を参照して、第４の態様の第９の可能な実施方式において、プロセッサが第１のポートグループ及び第２のポートグループを決定するように構成されることは：プロセッサが、第１のポートグループと２つの論理ポートの論理ポート番号との間の対応関係、及び第２のポートグループと他の２つの論理ポートの論理ポート番号との間の対応関係に従って第１のポートグループ及び第２のポートグループを決定するように構成されることを含み、ここで、対応関係はメモリによって保存されるか若しくはプロセッサによって取得され；又は、メモリは：プロセッサが、第１のポートグループ及び第２のポートグループを決定した後、第１のポートグループと２つの論理ポートの論理ポート番号との間の対応関係、及び第２のポートグループと他の２つの論理ポートの論理ポート番号との間の対応関係を保存するように更に構成される。
【００５１】
上記の解決策を適用することによって、ＢＢＵは、４つの論理ポートと１対１の対応関係にある４チャネルの信号を取得し、４チャネルの信号における少なくとも２チャネルの信号に基づいてベースバンドデジタル信号を生成し；ベースバンドデジタル信号を無線周波数信号に変換した後、１つ又は２つの物理アンテナを有するＲＲＵが、このＲＲＵが有する１つ又は２つの物理アンテナを用いることによって、無線周波数信号を送信する。したがって、セル結合シナリオにおいて、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、４チャネルＲＲＵ又は８チャネルＲＲＵについて、更なる取得信号を処理し、４チャネルＲＲＵ又は８チャネルＲＲＵを用いることによって信号を送信し、それによって、セル容量を改善し、信号伝送品質を向上させることができる。
【００５２】
本発明の実施形態における技術的解決策をより明確に説明するために、以下において、本発明の実施形態を説明するのに必要な添付の図面を簡単に紹介する。明らかに、以下の説明において、添付の図面は本発明のいくつかの例を示すにすぎず、当業者であれば、創造的な取り組みなしでこれらの添付図面から他の図面を更に導出することができる。
【図面の簡単な説明】
【００５３】
【図１】本発明の一実施形態による通信装置の概略ブロック図である。
【図２】本発明の別の実施形態による論理ポートと物理アンテナとの間の対応関係の概略図である。
【図３ａ】本発明の別の実施形態による、論理ポートと物理アンテナとの間の対応関係の概略図である。
【図３ｂ】本発明の別の実施形態による、論理ポートと物理アンテナとの間の対応関係の概略図である。
【図３ｃ】本発明の別の実施形態による、論理ポートと物理アンテナとの間の対応関係の概略図である。
【図３ｄ】本発明の別の実施形態による、論理ポートと物理アンテナとの間の対応関係の概略図である。
【図４ａ】本発明の別の実施形態による、論理ポートと物理アンテナとの間の対応関係の概略図である。
【図４ｂ】本発明の別の実施形態による、論理ポートと物理アンテナとの間の対応関係の概略図である。
【図４ｃ】本発明の別の実施形態による、論理ポートと物理アンテナとの間の対応関係の概略図である。
【図５ａ】本発明の別の実施形態による、論理ポートと物理アンテナとの間の対応関係の概略図である。
【図５ｂ】本発明の別の実施形態による、論理ポートと物理アンテナとの間の対応関係の概略図である。
【図５ｃ】本発明の別の実施形態による、論理ポートと物理アンテナとの間の対応関係の概略図である。
【図５ｄ】本発明の別の実施形態による、論理ポートと物理アンテナとの間の対応関係の概略図である。
【図６】本発明の別の実施形態による通信方法の概略フローチャートである。
【図７】本発明の別の実施形態による通信装置の概略ブロック図である。
【図８】本発明の別の実施形態による通信装置の概略ブロック図である。
【図９】本発明の別の実施形態による通信装置の概略ブロック図である。
【図１０】本発明の別の実施形態によるＢＢＵの概略ブロック図である。
【発明を実施するための形態】
【００５４】
以下は、本発明の実施形態における添付の図面を参照して本発明の実施形態における技術的解決策を明確かつ完全に説明する。明らかに、説明される実施形態は、本発明の実施形態の全てではなくいくつかである。当業者によって、本発明の実施形態に基づいて創造的な取り組みなしで得られる全ての他の実施形態は本発明の保護範囲内にあるものとする。
【００５５】
図１は、本発明の一実施形態による通信デバイス１００の概略ブロック図である。図１に示すように、通信デバイス１００は、ＢＢＵ１１０と、ｎ個の物理アンテナを有するＲＲＵ１２０とを備え；ＢＢＵ１１０及びＲＲＵ１２０は、光ファイバーを用いることによって接続され；ｎは１又は２である。
【００５６】
ＢＢＵ１１０は：４チャネルの信号を取得し；４チャネルの信号における少なくとも２チャネルの信号に基づいてベースバンドデジタル信号を生成し；ベースバンドデジタル信号を、光ファイバーを通じてＲＲＵ１２０に送信するように構成される。ここで、４チャネルの信号は、ＢＢＵ１１０の４つの論理ポートと１対１の対応関係にある。
【００５７】
ＲＲＵ１２０は、ベースバンドデジタル信号を無線周波数信号に変換し、ｎ個の物理アンテナを用いることによって無線周波数信号を送信するように構成される。
【００５８】
異なる数の物理アンテナを有するＲＲＵによってカバーされる複数のセルから結合されるセルのシナリオにおいて、結合されたセルのために４つの論理ポートを構成することができる。したがって、ＢＢＵ１１０は、４つの論理ポートと１対１の対応関係にある４チャネルの信号を生成し、４チャネルの信号における少なくとも２チャネルの信号に基づいてベースバンドデジタル信号を生成し、次に、光ファイバーを用いることによって、ベースバンドデジタル信号を、１つ又は２つの物理アンテナを有するＲＲＵ１２０に送信することができる。ＢＢＵ１１０によって送信されたベースバンドデジタル信号を受信した後、１つ又は２つの物理アンテナを有するＲＲＵ１２０がベースバンドデジタル信号を無線周波数信号に変換し、ＲＲＵ１２０が有する１つ又は２つの物理アンテナを用いることによって無線周波数信号を送信することができる。
【００５９】
したがって、本発明のこの実施形態は、セル結合シナリオにおいて適用され、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。すなわち、ＢＢＵのために４つの論理ポートが構成されるので、ＢＢＵは４つの論理ポートから取得された信号を処理することができ、処理済みの信号を、伝送するために１チャネルＲＲＵ又は２チャネルＲＲＵに提供することができる。更に、ＢＢＵは４チャネルＲＲＵ又は８チャネルＲＲＵを可能にすることができ、これを用いて１チャネルＲＲＵ又は２チャネルＲＲＵはセル結合を実行し、４つの論理ポートに基づく４ストリーム伝送モード、例えば４ストリーム伝送モード（Ｔｒａｎｓｍｉｓｓｉｏｎ  Ｍｏｄｅ，ＴＭ）３又は４ストリームＴＭ４を用い、それによって、セル容量を改善し、信号伝送品質を向上させる。上記の４つのストリームは上記の４チャネルの信号とみなすことができる。
【００６０】
本発明のこの実施形態は、様々なセル結合シナリオ、例えば、８＋２、８＋１、８＋４＋１、８＋４＋２、４＋２又は４＋１等の結合シナリオに適用することができることを理解されたい。
【００６１】
本発明のこの実施形態では、ＢＢＵ１１０が４つの論理ポートに対応する４チャネルの信号から１つの信号のみを選択し、次に、１つの信号をベースバンドデジタル信号としてＲＲＵ１２０に送信することもできることを理解されたい。ＲＲＵ１２０は、ベースバンドデジタル信号を無線周波数信号に変換し、１つの物理アンテナを用いることによって無線周波数信号を送信する。
【００６２】
オプションで、本発明のこの実施形態において、通信デバイス１００は基地局とすることができる。ＲＲＵ１２０はｎ個のチャネルを有することができる。ここで、ｎ個のチャネルはｎ個の物理アンテナと１対１の対応関係にある。
【００６３】
オプションで、本発明のこの実施形態において、ｎが１に等しいとき、ＢＢＵ１１０は、４チャネルの信号における少なくとも２チャネルの信号を合算することによってベースバンドデジタル信号を得ることができる。
【００６４】
オプションで、本発明のこの実施形態において、ｎが２に等しいとき、ＢＢＵ１１０は、４チャネルの信号のうちの１つ又は複数の信号を用いることによって第１のベースバンドデジタル信号を取得し、４チャネルの信号のうちの上記１つ又は複数の信号を除いた他の信号の全て又はいくつかを用いることによって第２のベースバンドデジタル信号を取得し、次に、第１のベースバンドデジタル信号及び第２のベースバンドデジタル信号を２チャネルＲＲＵ１２０に送信することができる。２チャネルＲＲＵ１２０は２つのベースバンドデジタル信号を無線周波数信号に変換し、２つの物理アンテナを用いることによって無線周波数信号を送信する。
【００６５】
本発明をより明確に理解するために、以下でまず、例としてｎ＝１を用いて、図２、図３ａ、図３ｂ、図３ｃ及び図３ｄを参照し、本発明のこの実施形態による通信デバイス１００を説明する。図２、図３ａ、図３ｂ、図３ｃ及び図３ｄは、物理アンテナと論理ポートとの間の対応関係を示すにすぎず、本発明のこの実施形態における通信デバイス１００の構造に対する制限を一切構成しないものとすることを理解されたい。図に示す「＋」は、左に示すポート番号に対応する信号が合算されてベースバンドデジタル信号が得られることを示すのに用いられる。
【００６６】
本発明のこの実施形態において、ＢＢＵ１１０が、４チャネルの信号における少なくとも２チャネルの信号に基づいてベースバンドデジタル信号を生成するように構成されることは：ＢＢＵ１１０が、４チャネルの信号におけるｍチャネルの信号を合算することによってベースバンドデジタル信号を生成するように構成されることを含む。ここで、ｍは２又は３又は４である。ｍ＝２のとき、ＢＢＵ１１０は行ベクトル［１  １］に２つの信号を左乗算して、２つの信号を合算することによってベースバンドデジタル信号を得ることができる。ｍ＝３のとき、ＢＢＵ１１０は［１  １  １］に３つの信号を左乗算して、３つの信号を合算することによってベースバンドデジタル信号を得ることができる。ｍ＝４のとき、ＢＢＵ１１０は［１  １  １  １］に４つの信号を左乗算して、４つの信号を合算することによってベースバンドデジタル信号を得ることができる。
【００６７】
例えば、図２に示すように、ＢＢＵ１１０は、ポート０、ポート１、ポート２及びポート３に対応する４チャネル全ての信号を合算してベースバンドデジタル信号を得ることができる。図３ａに示すように、ＢＢＵ１１０は、ポート０及びポート１に対応する２つの信号を合算してベースバンドデジタル信号を得ることができる。図３ｂに示すように、ＢＢＵ１１０は、ポート０及びポート３に対応する２つの信号を合算してベースバンドデジタル信号を得ることができる。図３ｃに示すように、ＢＢＵ１１０は、ポート１及びポート２に対応する２つの信号を合算してベースバンドデジタル信号を得ることができる。図３ｄに示すように、ＢＢＵ１１０はポート２及びポート３に対応する２つの信号を合算してベースバンドデジタル信号を得ることができる。
【００６８】
オプションで、本発明のこの実施形態において、ＢＢＵ１１０はｍ個の論理ポートを決定するように更に構成することができる。ここで、ｍ個の論理ポートに対応するｍチャネルの信号を用いてベースバンドデジタル信号が生成される。
【００６９】
特に、ＢＢＵ１１０は４つ全ての論理ポートを選択するように構成することができる。例えば、図２に示すように、ＢＢＵ１１０は４つの論理ポート、すなわち、ポート０、ポート１、ポート２及びポート３の全てを選択することができる。ここで、４つの論理ポートに対応する４チャネルの信号を用いてベースバンドデジタル信号を生成することができる。
【００７０】
代替的に、ＢＢＵ１１０は、４つの論理ポートのうちの２つ又は３つを選択するように更に構成することができる。例えば、図３ａに示すように、ＢＢＵ１１０は、ポート０、ポート１、ポート２及びポート３からポート０及びポート１を選択することができる。ここで、ポート０及びポート１に対応する２つの信号を用いてベースバンドデジタル信号を生成する。図３ｂに示すように、ＢＢＵ１１０は、ポート０、ポート１、ポート２及びポート３からポート０及びポート３を選択することができる。ここで、ポート０及びポート３に対応する２つの信号を用いてベースバンドデジタル信号を生成する。図３ｃに示すように、ＢＢＵ１１０は、ポート０、ポート１、ポート２及びポート３からポート１及びポート２を選択することができる。ここで、ポート０及びポート１に対応する２つの信号を用いてベースバンドデジタル信号を生成する。図３ｄに示すように、ＢＢＵ１１０は、ポート０、ポート１、ポート２及びポート３からポート２及びポート３を選択することができる。ここで、ポート２及びポート３に対応する２つの信号を用いてベースバンドデジタル信号を生成する。４つの論理ポートから２つの論理ポートを選択する概略図のみが添付の図面に示されているが、本発明のこの実施形態におけるＢＢＵ１１０は、４つの論理ポートから３つの論理ポートを更に選択することができることを理解されたい。例えば、ＢＢＵ１１０は、ポート０、ポート１、ポート２及びポート３からポート０、ポート１及びポート２を選択することができるか；又はＢＢＵ１１０は、ポート０、ポート１、ポート２及びポート３からポート１、ポート２及びポート３を選択することができ；又はＢＢＵ１１０は、ポート０、ポート１、ポート２及びポート３からポート１、ポート２及びポート３を選択することができ；又はＢＢＵ１１０は、ポート０、ポート１、ポート２及びポート３からポート０、ポート２及びポート３を選択することができ；又はＢＢＵ１１０は、ポート０、ポート１、ポート２及びポート３からポート０、ポート１及びポート３を選択することができる。
【００７１】
オプションで、本発明のこの実施形態において、ＢＢＵ１１０は：４つの論理ポートのうちの２つ又は３つを選択するとき、４つの論理ポートのうちの選択されていない論理ポートが非接続状態になることを可能にするように更に構成される。
【００７２】
例えば、図３ａに示すように、ＢＢＵ１１０は、ポート０、ポート１、ポート２及びポート３からポート０及びポート１を選択し、次に、ＢＢＵ１１０はポート２及びポート３が非接続状態になることを可能にすることができる。図３ｂに示すように、ＢＢＵ１１０は、ポート０、ポート１、ポート２及びポート３からポート０及びポート３を選択し、次に、ＢＢＵ１１０はポート１及びポート２が非接続状態になることを可能にすることができる。図３ｃに示すように、ＢＢＵ１１０は、ポート０、ポート１、ポート２及びポート３からポート１及びポート２を選択し、次に、ＢＢＵ１１０は、ポート０及びポート３が非接続状態になることを可能にすることができる。図３ｄに示すように、ＢＢＵ１１０は、ポート０、ポート１、ポート２及びポート３からポート２及びポート３を選択し、次に、ＢＢＵ１１０は、ポート０及びポート１が非接続状態になることを可能にすることができる。
【００７３】
オプションで、本発明のこの実施形態において、ＢＢＵ１１０がｍ個の論理ポートを決定するように構成されることは：ＢＢＵ１１０が、ｍ個の論理ポートのうちの保存又は取得された論理ポート番号に従って、ｍ個の論理ポートを決定するように構成されることを含むことができる。
【００７４】
特に、ＢＢＵ１１０は、メモリ内に記憶された論理ポート番号に従ってｍ個の論理ポートを決定することができる。例えば、メモリ内に記憶される論理ポート番号は０、１、２及び３であり、次に、ＢＢＵ１１０は、論理ポート番号がそれぞれ０、１、２及び３である論理ポートがｍ個の論理ポートであると決定することができる。オプションで、メモリが論理ポート番号を記憶することは、論理ポート番号がＢＢＵ１１０において構成されるときにメモリが論理ポート番号を記憶することであり得る。例えば、ＢＢＵ１１０が事前構成されるとき、論理ポートのうちのいくつかに対応する信号を用いてベースバンドデジタル信号を生成するか否かが既に決定されており、次に、メモリは、事前構成に従って、これらの論理ポートに対応する論理ポート番号を記憶する。代替的に、ＢＢＵ１１０は、必要な論理ポート番号を取得し、例えば、コアネットワークから必要な論理ポート番号を取得し、次に、取得した論理ポート番号に従って論理ポートを決定することができる。例えば、コアネットワークからＢＢＵ１１０によって取得される論理ポート番号は０及び１であり、次に、ＢＢＵは、論理ポート番号が０及び１であるポートが論理ポートであると判断することができる。
【００７５】
代替的に、本発明のこの実施形態において、ＢＢＵ１１０は：ｍ個の論理ポートを決定した後、ｍ個の論理ポートの論理ポート番号を保存するように構成される。
【００７６】
例えば、ＢＢＵ１１０は、論理ポート０、１及び３を決定した後、論理ポート番号０、１及び３をメモリ内に記憶し、その後、論理ポート番号をメモリから直接読み出し、メモリから読み出した論理ポート番号に従って論理ポートを決定することができる。
【００７７】
したがって、本発明のこの実施形態が適用されるとき、セル結合シナリオにおいて、４つの論理ポートを有するＢＢＵは、１チャネルＲＲＵのための更なる取得信号を処理し、１チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。
【００７８】
上記は、例としてｎ＝１を用いることによって本発明のこの実施形態を説明したが、以下では、例としてｎ＝２を用いて、図４ａ、図４ｂ、図４ｃ、図５ａ、図５ｂ、図５ｃ及び図５ｄを参照し、本発明のこの実施形態を説明する。図４ａ、図４ｂ、図４ｃ、図５ａ、図５ｂ、図５ｃ及び図５ｄは、物理アンテナと論理ポートとの間の対応関係を示すにすぎず、本発明のこの実施形態における通信デバイス１００の構造に対する制限を一切構成しないものとすることを理解されたい。図に示す「＋」は、左に示すポート番号に対応する信号が合算されてベースバンドデジタル信号が得られることを示すのに用いられる。
【００７９】
本発明のこの実施形態において、ｎが２であるとき、ベースバンドデジタル信号は第１のベースバンドデジタル信号及び第２のベースバンドデジタル信号を含むことができ、ＢＢＵ１１０が、４チャネルの信号における少なくとも２チャネルの信号に基づいてベースバンドデジタル信号を生成するように構成されることは：ＢＢＵ１１０が、４チャネルの信号のうちの２つの信号を合算して第１のベースバンドデジタル信号を生成し、４チャネルの信号のうちの他の２つの信号を合算して第２のベースバンドデジタル信号を生成するように構成されることを含む。ＢＢＵ１１０によって４つの信号のうちの任意の２つの信号を合算することは、行ベクトル［１  １］にこの任意の２つの信号を左乗算することによって実施され得る。
【００８０】
オプションで、本発明のこの実施形態において、具体的にいずれの２つの信号を合算して第１のベースバンドデジタル信号を得て、いずれの２つの信号を合算して第２のベースバンドデジタル信号を得るのかに応じて、本発明のこの実施形態におけるＢＢＵ１１０は第１のポートグループ及び第２のポートグループを決定することができる。ここで、第１のポートグループは４つの論理ポートのうちの２つの論理ポートを含み、この２つの論理ポートに対応する２つの信号を用いて第１のベースバンドデジタル信号が生成され；第２のポートグループは４つの論理ポートのうちの他の２つの論理ポートを含み、この他の２つの論理ポートに対応する２つの信号を用いて第２のベースバンドデジタル信号が生成される。
【００８１】
例えば、図４ａに示すように、ＢＢＵ１１０は、ポート０及びポート１を一方のポートグループとして決定し、ポート０及びポート１に対応する信号を合算して一方のベースバンドデジタル信号を得ることができ；ポート２及びポート３を他方のポートグループとして決定し、ポート２及びポート３に対応する信号を合算して他方のベースバンドデジタル信号を得ることができる。図４ｂに示すように、ＢＢＵ１１０はポート０及びポート３を一方のポートグループとして決定し、ポート０及びポート３に対応する信号を合算して一方のベースバンドデジタル信号を得ることができ；ポート１及びポート２を他方のポートグループとして決定し、ポート１及びポート２に対応する信号を合算して他方のベースバンドデジタル信号を得ることができる。図４ｃに示すように、ＢＢＵ１１０はポート０及びポート２を一方のポートグループとして決定し、ポート０及びポート２に対応する信号を合算して一方のベースバンドデジタル信号を得ることができ；ポート１及びポート３を他方のポートグループとして決定し、ポート１及びポート３に対応する信号を合算して他方のベースバンドデジタル信号を得ることができる。
【００８２】
代替的に、本発明のこの実施形態において、ｎが２であるとき、ベースバンドデジタル信号は第１のベースバンドデジタル信号及び第２のベースバンドデジタル信号を含むことができる。ＢＢＵ１１０は、４チャネルの信号のうちの１つの信号を第１のベースバンドデジタル信号として用い、４チャネルの信号のうちの別の信号を第２のベースバンドデジタル信号として用いるように構成される。
【００８３】
オプションで、本発明のこの実施形態において、具体的にいずれの信号が第１のベースバンドデジタル信号として用いられ、いずれの信号が第２のベースバンドデジタル信号として用いられるかに応じて、本発明のこの実施形態におけるＢＢＵ１１０は第１のポートグループ及び第２のポートグループを決定することができる。ここで、第１のポートグループは４つの論理ポートのうちの２つの論理ポートを含み、この２つの論理ポートのうちの１つの論理ポートに対応する１つの信号が第１のベースバンドデジタル信号として用いられ；第２のポートグループは４つの論理ポートのうちの他の２つの論理ポートを含み、この他の２つの論理ポートのうちの１つの論理ポートに対応する１つの信号が第２のベースバンドデジタル信号として用いられる。
【００８４】
例えば、図５ａに示すように、ＢＢＵ１１０はポート０及びポート２を一方のポートグループとして決定し、ポートグループ内のポート０に対応する信号を一方のベースバンドデジタル信号として用いることができ；ポート１及びポート３を他方のポートグループとして決定し、ポートグループ内のポート１に対応する信号を他方のベースバンドデジタル信号として用いることができる。図５ｂに示すように、ＢＢＵ１１０はポート０及びポート２を一方のポートグループとして決定し、ポートグループ内のポート０に対応する信号を一方のベースバンドデジタル信号として用いることができ；ポート１及びポート３を他方のポートグループとして決定し、ポートグループ内のポート３に対応する信号を他方のベースバンドデジタル信号として用いることができる。例えば、図５ｃに示すように、ＢＢＵ１１０はポート０及びポート２を一方のポートグループとして決定し、ポートグループ内のポート２に対応する信号を一方のベースバンドデジタル信号として用いることができ；ポート１及びポート３を他方のポートグループとして決定し、ポートグループ内のポート３に対応する信号を他方のベースバンドデジタル信号として用いることができる。例えば、図５ｄに示すように、ＢＢＵ１１０はポート０及びポート２を一方のポートグループとして決定し、ポートグループ内のポート２に対応する信号を一方のベースバンドデジタル信号として用いることができ；ポート１及びポート３を他方のポートグループとして決定し、ポートグループ内のポート１に対応する信号を他方のベースバンドデジタル信号として用いることができる。
【００８５】
オプションで、本発明のこの実施形態において、ＲＲＵ１２０が、ベースバンドデジタル信号を無線周波数信号に変換し、ｎ個の物理アンテナを用いることによって無線周波数信号を送信するように構成されることは：ＲＲＵ１２０が、第１のベースバンドデジタル信号を第１の無線周波数信号に変換し、第２のベースバンドデジタル信号を第２の無線周波数信号に変換し、第１の無線周波数信号を、２つの物理アンテナのうちの一方の物理アンテナを用いることによって送信し、第２の無線周波数信号を、２つの物理アンテナのうちの他方の物理アンテナを用いることによって送信するように特に構成されることを含む。
【００８６】
例えば、図４ａに示すように、ＢＢＵ１２０は、ポート０に対応する信号及びポート１に対応する信号を合算することによって得られた１つのベースバンドデジタル信号を１つの無線周波数信号に変換し、この無線周波数信号を一方の物理アンテナを用いることによって送信することができる。ＢＢＵ１２０は、ポート２に対応する信号及びポート３に対応する信号を合算することによって得られた１つのベースバンドデジタル信号を１つの無線周波数信号に変換し、この無線周波数信号を他方の物理アンテナを用いることによって送信する。
【００８７】
オプションで、本発明のこの実施形態において、ＢＢＵ１１０は、論理ポートのうちのいくつかが非接続状態になることを可能にするように更に構成される。ここで、論理ポートのうちのいくつかは、４チャネルの信号のうちの、第１のベースバンドデジタル信号及び第２のベースバンドデジタル信号を生成するのに用いられない信号と１対１の対応関係にある。
【００８８】
例えば、図５ａに示すように、ポート２及びポート３に対応する信号は、ベースバンドデジタル信号を生成するのに用いられず、このとき、ポート２及びポート３は非接続状態になることを可能にされ得る。図５ｂに示すように、ポート２及びポート１に対応する信号は、ベースバンドデジタル信号を生成するのに用いられず、このとき、ポート２及びポート１は非接続状態になることを可能にされ得る。図５ｃに示すように、ポート０及びポート１に対応する信号は、ベースバンドデジタル信号を生成するのに用いられず、このとき、ポート０及びポート１は非接続状態になることを可能にされ得る。図５ｄに示すように、ポート０及びポート３に対応する信号は、ベースバンドデジタル信号を生成するのに用いられず、このとき、ポート０及びポート３は非接続状態になることを可能にされ得る。
【００８９】
オプションで、本発明のこの実施形態において、ＢＢＵ１１０が第１のポートグループ及び第２のポートグループを決定するように構成されることは：ＢＢＵ１１０が、第１のポートグループと２つの論理ポートの論理ポート番号との間の対応関係、及び第２のポートグループと他の２つの論理ポートの論理ポート番号との間の対応関係に従って第１のポートグループ及び第２のポートグループを決定するように構成されることを含むことができる。ここで、対応関係は保存又は取得される。
【００９０】
詳細には、ＢＢＵ１１０内のメモリは、ポートグループと論理ポート番号との間の対応関係を記憶することができ、それによって、ＢＢＵ１１０は、論理ポートグループと論理ポート番号との間の記憶された対応関係に従って、２つの論理ポートグループ内に含まれる論理ポートを決定することができる。オプションで、論理ポート番号と論理ポートグループとの間の対応関係は、ＢＢＵ１１０が事前構成されるときに既に決定されており、次に、メモリは、事前構成に従って、論理ポート番号と論理ポートグループとの間の対応関係を記憶する。例えば、メモリ内に記憶される対応関係は、第１のポートグループが論理ポート番号０及び２に対応し、第２のポートグループに対応する論理ポート番号がポート１及び３であることであり、すなわち、図５ａ、図５ｂ、図５ｃ及び図５ｄに示す対応関係である。次に、ＢＢＵ１１０は、ポート０及びポート２を第１のポートグループとして用い、ポート１及びポート３を第２のポートグループとして用いることができる。
【００９１】
代替的に、ＢＢＵ１１０はまた、論理ポートグループと論理ポート番号との間の対応関係を取得し、例えば、コアネットワークから対応関係を取得し、次に、この対応関係に従って、各論理ポートグループ内に含まれる論理ポートを決定することができる。例えば、コアネットワークによって提供される対応関係は、第１のポートグループが論理ポート番号０及び１に対応し、第２のポートグループに対応する論理ポート番号がポート２及び３であることであり、すなわち、図４ａ、図４ｂ及び図４ｃに示す対応関係である。次に、ＢＢＵ１１０は、ポート０及びポート１を第１のポートグループとして用い、ポート２及びポート３を第２のポートグループとして用いることができる。
【００９２】
代替的に、本発明のこの実施形態において、ＢＢＵ１１０は：第１のポートグループ及び第２のポートグループを決定した後、第１のポートグループと２つの論理ポートの論理ポート番号との間の対応関係、及び第２のポートグループと他の２つの論理ポートの論理ポート番号との間の対応関係を保存するように更に構成される。
【００９３】
詳細には、２つのポートグループを決定した後、ＢＢＵ１１０は、メモリ内に、２つのポートグループの任意のポートグループと、この任意のポートグループに含まれる論理ポートの論理ポート番号との間の対応関係を記憶することができる。例えば、図４ａ、図４ｂ及び図４ｃに示すように、ＢＢＵ１１０は、ポート０及びポート１を第１のポートグループとして決定し、次に、第１のポートグループとポート番号０及び１との間の対応関係をメモリ内に記憶することができる。ＢＢＵ１１０は、ポート２及びポート３を第２のポートグループとして決定することができ、次に、第２のポートグループとポート番号２及び３との間の対応関係をメモリ内に記憶することができる。
【００９４】
ｎ＝２のとき、上記で説明した実施方式に加えて、本発明のこの実施形態は、他の実施方式を更に有することができることを理解されたい。例えば、１つの論理ポートに対応する信号は、第１のベースバンドデジタル信号として用いることができ、他の３つの論理ポートに対応する信号を合算して、第２のベースバンドデジタル信号を得ることができ；又は、１つの論理ポートに対応する信号は、第１のベースバンドデジタル信号として用いられ、他の３つの論理ポートのうちの任意の２つの論理ポートに対応する信号を合算して、第２のベースバンドデジタル信号を得ることができる。
【００９５】
したがって、本発明のこの実施形態が適用されるとき、セル結合シナリオにおいて、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。
【００９６】
図６は、本発明の一実施形態による通信方法２００の概略フローチャートである。図６に示すように、通信方法２００は以下を含む。
【００９７】
Ｓ２１０。ＢＢＵが４チャネルの信号を取得する。ここで、４チャネルの信号はＢＢＵの４つの論理ポートと１対１の対応関係にある。
【００９８】
Ｓ２２０。ＢＢＵが、４チャネルの信号における少なくとも２チャネルの信号に基づいてベースバンドデジタル信号を生成する。
【００９９】
Ｓ２３０。ＢＢＵが、ｎ個の物理アンテナを有するＲＲＵにベースバンドデジタル信号を送信する。それによって、ＲＲＵは、ｎ個の物理アンテナを用いることによって、ベースバンドデジタル信号が変換されたものである無線周波数信号を送信する。ここで、ｎは１又は２である。
【０１００】
異なる数の物理アンテナを有するＲＲＵによってカバーされるセルから結合されたセルのシナリオにおいて、結合されたセルのために４つの論理ポートを構成することができる。したがって、ＢＢＵは、４つの論理ポートと１対１の対応関係にある４チャネルの信号を生成し、４チャネルの信号における少なくとも２チャネルの信号に基づいてベースバンドデジタル信号を生成し、次にベースバンドデジタル信号を、光ファイバーを用いることによって、１つ又は２つの物理アンテナを有するＲＲＵに送信することができる。したがって、ＢＢＵによって送信されたベースバンドデジタル信号を受信した後、１つ又は２つの物理アンテナを有するＲＲＵは、ベースバンドデジタル信号を無線周波数信号に変換し、ＲＲＵが有する１つ又は２つの物理アンテナを用いることによって、無線周波数信号を送信することができる。
【０１０１】
したがって、本発明のこの実施形態は、セル結合シナリオにおいて適用され、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。すなわち、ＢＢＵのために４つの論理ポートが構成されるので、ＢＢＵは４つの論理ポートから取得された信号を処理することができ、処理済みの信号を、伝送するために１チャネルＲＲＵ又は２チャネルＲＲＵに提供することができる。更に、ＢＢＵは４チャネルＲＲＵ又は８チャネルＲＲＵを可能にすることができ、これを用いて１チャネルＲＲＵ又は２チャネルＲＲＵはセル結合を実行し、４つの論理ポートに基づく４ストリーム伝送モード、例えば４ストリームＴＭ３又は４ストリームＴＭ４を用い、それによって、セル容量を改善し、信号伝送品質を向上させる。上記の４つのストリームは上記の４チャネルの信号とみなすことができる。
【０１０２】
本発明のこの実施形態は、様々なセル結合シナリオ、例えば、８＋２、８＋１、８＋４＋１、８＋４＋２、４＋２又は４＋１等のシナリオに適用することができることを理解されたい。
【０１０３】
本発明のこの実施形態では、ＢＢＵが４つの論理ポートに対応する４チャネルの信号から１つの信号のみを選択し、次に、１つの信号をベースバンドデジタル信号としてＲＲＵに送信することもできることを理解されたい。それによって、ＲＲＵは、ベースバンドデジタル信号を無線周波数信号に変換し、１つの物理アンテナを用いることによって無線周波数信号を送信する。
【０１０４】
オプションで、本発明のこの実施形態において、ｎが１に等しいとき、ＢＢＵは、４チャネルの信号における少なくとも２チャネルの信号を合算することによってベースバンドデジタル信号を得ることができる。
【０１０５】
オプションで、本発明のこの実施形態において、ｎが２に等しいとき、ＢＢＵは、４チャネルの信号のうちの１つ又は複数の信号を用いることによって第１のベースバンドデジタル信号を取得し、４チャネルの信号のうちの上記１つ又は複数の信号を除いた他の信号の全て又はいくつかを用いることによって第２のベースバンドデジタル信号を取得し、次に、第１のベースバンドデジタル信号及び第２のベースバンドデジタル信号を２チャネルＲＲＵに送信することができる。それによって、２チャネルＲＲＵ１２０は２つのベースバンドデジタル信号を無線周波数信号に変換し、２つの物理アンテナを用いることによって無線周波数信号を送信する。
【０１０６】
オプションで、本発明のこの実施形態において、方法２００は、ＲＲＵが、ベースバンドデジタル信号を無線周波数信号に変換し、ｎ個の物理アンテナを用いることによってこの無線周波数信号を送信することを更に含むことができる。
【０１０７】
以下で、例としてｎ＝１を用いて、本発明のこの実施形態による通信方法２００を説明する。具体的な例として、図２、図３ａ、図３ｂ、図３ｃ及び図３ｄに示す例を参照する。
【０１０８】
本発明のこの実施形態では、ｎ＝１のとき、Ｓ２２０において、ＢＢＵが４チャネルの信号における少なくとも２チャネルの信号に基づいてベースバンドデジタル信号を生成することは：ＢＢＵが、４チャネルの信号におけるｍチャネルの信号を合算することによってベースバンドデジタル信号を生成することを含むことができる。ここで、ｍは２又は３又は４である。
【０１０９】
本発明のこの実施形態において、方法２００は：ＢＢＵがｍ個の論理ポートを決定することを更に含むことができる。ここで、ｍ個の論理ポートに対応するｍチャネルの信号を用いてベースバンドデジタル信号が生成される。
【０１１０】
詳細には、ＢＢＵは４つ全ての論理ポートを選択することができ、本明細書において、図２に示す上記の例を参照することができる。代替的に、ＢＢＵは、４つの論理ポートのうちの２つ又は３つを更に選択することができ、本明細書において、図３ａ、図３ｂ、図３ｃ及び図３ｄに示す上記の例を参照することができる。本発明のこの実施形態におけるＢＢＵは、４つの論理ポートから３つの論理ポートを更に選択することができる。
【０１１１】
オプションで、本発明のこの実施形態において、方法２００は：４つの論理ポートのうちの２つ又は３つを選択するとき、ＢＢＵが、４つの論理ポートのうちの選択されていない論理ポートが非接続状態になることを可能にすることを含みことができる。本明細書において、図３ａ、図３ｂ、図３ｃ及び図３ｄに示す上記の例も参照することができる。
【０１１２】
本発明のこの実施形態において、上記の、ＢＢＵがｍ個の論理ポートを決定することは：ＢＢＵが、ｍ個の論理ポートのうちの保存又は取得された論理ポート番号に従って、ｍ個の論理ポートを決定することを含むことができる。
【０１１３】
詳細には、ＢＢＵは、メモリ内に記憶された論理ポート番号に従ってｍ個の論理ポートを決定することができる。オプションで、メモリが論理ポート番号を記憶することは、論理ポート番号がＢＢＵにおいて構成されるときにメモリが論理ポート番号を記憶することであり得る。代替的に、ＢＢＵは、必要な論理ポート番号を取得し、次に、取得された論理ポート番号に従って論理ポートを決定することができる。
【０１１４】
代替的に、本発明のこの実施形態において、ＢＢＵがｍ個の論理ポートを決定した後、本方法２００は：ＢＢＵがｍ個の論理ポートの論理ポート番号を保存することを更に含むことができる。
【０１１５】
したがって、本発明のこの実施形態が適用されるとき、セル結合シナリオにおいて、４つの論理ポートを有するＢＢＵは、１チャネルＲＲＵのための更なる取得信号を処理し、１チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。
【０１１６】
上記は、例としてｎ＝１を用いることによって本発明のこの実施形態を説明したが、以下では、例としてｎ＝２を用いて、本発明のこの実施形態による通信方法２００を説明する。具体的な例について、図４ａ、図４ｂ、図４ｃ、図５ａ、図５ｂ、図５ｃ及び図５ｄに示す例を参照する。
【０１１７】
本発明のこの実施形態において、ｎは２であり、ベースバンドデジタル信号は第１のベースバンドデジタル信号及び第２のベースバンドデジタル信号を含み；ＢＢＵが、Ｓ２２０において、４チャネルの信号における少なくとも２チャネルの信号に基づいてベースバンドデジタル信号を生成することは：ＢＢＵが、４チャネルの信号のうちの２つの信号を合算することによって第１のベースバンドデジタル信号を生成し、４チャネルの信号のうちの他の２つの信号を合算することによって第２のベースバンドデジタル信号を生成するように構成されることを含むことができる。ＢＢＵが４つの信号のうちの任意の２つの信号を合算することは、行ベクトル［１  １］にこの任意の２つの信号を左乗算することによって実施され得る。
【０１１８】
オプションで、本発明のこの実施形態において、具体的にいずれの２つの信号を合算して第１のベースバンドデジタル信号を得て、いずれの２つの信号を合算して第２のベースバンドデジタル信号を得るのかに応じて、本発明のこの実施形態における方法２００は：ＢＢＵが第１のポートグループ及び第２のポートグループを決定することを更に含むことができる。ここで、第１のポートグループは４つの論理ポートのうちの２つの論理ポートを含み、この２つの論理ポートに対応する２つの信号を用いて第１のベースバンドデジタル信号を生成し；第２のポートグループは４つの論理ポートのうちの他の２つの論理ポートを含み、この他の２つの論理ポートに対応する２つの信号を用いて第２のベースバンドデジタル信号を生成する。本明細書において、図４ａ、図４ｂ及び図４ｃに示す上記の例も参照することができる。
【０１１９】
代替的に、本発明のこの実施形態において、ｎ＝２のとき、ベースバンドデジタル信号は第１のベースバンドデジタル信号及び第２のベースバンドデジタル信号を含むことができ；ＢＢＵが、Ｓ２２０において、４チャネルの信号における少なくとも２チャネルの信号に基づいてベースバンドデジタル信号を生成することは：ＢＢＵが、４チャネルの信号のうちの１つの信号を第１のベースバンドデジタル信号として用い、４チャネルの信号のうちの別の信号を第２のベースバンドデジタル信号として用いることを含むことができる。
【０１２０】
オプションで、本発明のこの実施形態において、ＢＢＵは、具体的にいずれの信号が第１のベースバンドデジタル信号として用いられ、いずれの信号が第２のベースバンドデジタル信号として用いられるかを決定する必要がある。例えば、本発明のこの実施形態における方法２００は：ＢＢＵが第１のポートグループ及び第２のポートグループを決定することを更に含むことができる。ここで、第１のポートグループは４つの論理ポートのうちの２つの論理ポートを含み、この２つの論理ポートのうちの１つの論理ポートに対応する１つの信号が第１のベースバンドデジタル信号として用いられ；第２のポートグループは４つの論理ポートのうちの他の２つの論理ポートを含み、この他の２つの論理ポートのうちの１つの論理ポートに対応する１つの信号が第２のベースバンドデジタル信号として用いられる。本明細書において、図５ａ、図５ｂ、図５ｃ及び図５ｄに示す上記の例も参照することができる。
【０１２１】
本発明のこの実施形態において、ＢＢＵが第１のベースバンドデジタル信号及び第２のベースバンドデジタル信号を取得した後、ＢＢＵは、光ファイバーを用いることによって、第１のベースバンドデジタル信号及び第２のベースバンドデジタル信号をＲＲＵに送信することができる。ＲＲＵが第１のベースバンドデジタル信号及び第２のベースバンドデジタル信号を受信した後、ＲＲＵは、第１のベースバンドデジタル信号を第１の無線周波数信号に変換し、第２のベースバンドデジタル信号を第２の無線周波数信号に変換し、第１の無線周波数信号を、２つの物理アンテナのうちの一方の物理アンテナを用いることによって送信し、第２の無線周波数信号を、２つの物理アンテナのうちの他方の物理アンテナを用いることによって送信することができる。
【０１２２】
本発明のこの実施形態において、方法２００は：ＢＢＵが、論理ポートのうちのいくつかが非接続状態になることを可能にすることを更に含むことができる。ここで、論理ポートのうちのいくつかは、４チャネルの信号のうちの、第１のベースバンドデジタル信号及び第２のベースバンドデジタル信号を生成するのに用いられない信号と１対１の対応関係にある。本明細書において、図５ａ、図５ｂ、図５ｃ及び図５ｄに示す上記の例も参照することができる。
【０１２３】
本発明のこの実施形態において、ＢＢＵが第１のポートグループ及び第２のポートグループを決定することは：ＢＢＵが、第１のポートグループと２つの論理ポートの論理ポート番号との間の対応関係、及び第２のポートグループと他の２つの論理ポートの論理ポート番号との間の対応関係に従って第１のポートグループ及び第２のポートグループを決定することを含むことができる。ここで、対応関係は保存又は取得される。
【０１２４】
詳細には、ＢＢＵ内のメモリは、ポートグループと論理ポート番号との間の対応関係を記憶することができ、それによって、ＢＢＵは、論理ポートグループと論理ポート番号との間の記憶された対応関係に従って、２つの論理ポートグループ内に含まれる論理ポートを決定することができる。オプションで、論理ポート番号と論理ポートグループとの間の対応関係は、ＢＢＵが事前構成されるときに既に決定されており、次に、メモリは、事前構成に従って、論理ポート番号と論理ポートグループとの間の対応関係を記憶する。代替的に、ＢＢＵはまた、論理ポートグループと論理ポート番号との間の対応関係を取得し、次に、この対応関係に従って、各論理ポートグループ内に含まれる論理ポートを決定することができる。
【０１２５】
本発明のこの実施形態において、方法２００は：ＢＢＵが、第１のポートグループ及び第２のポートグループを決定した後、第１のポートグループと２つの論理ポートの論理ポート番号との間の対応関係、及び第２のポートグループと他の２つの論理ポートの論理ポート番号との間の対応関係を保存することを更に含むことができる。
【０１２６】
ｎ＝２のとき、上記で説明した実施方式に加えて、本発明のこの実施形態は、他の実施方式を更に有することができることを理解されたい。例えば、１つの論理ポートに対応する信号は、第１のベースバンドデジタル信号として用いることができ、他の３つの論理ポートに対応する信号を合算して、第２のベースバンドデジタル信号を得ることができ；又は、１つの論理ポートに対応する信号は、第１のベースバンドデジタル信号として用いられ、他の３つの論理ポートのうちの任意の２つの論理ポートに対応する信号を合算して、第２のベースバンドデジタル信号を得ることができる。
【０１２７】
本発明のこの実施形態において、通信方法２００におけるＢＢＵは通信デバイス１００におけるＢＢＵ１１０に対応することができ、通信方法２２０におけるＲＲＵは通信デバイス１００におけるＲＲＵに対応することができることに留意するべきである。通信方法２００におけるＢＢＵは、通信デバイス１００におけるＢＢＵ１１０が有する機能に対応する機能を有することができ、通信方法２００におけるＲＲＵは、通信デバイス１００におけるＲＲＵが有する機能に対応する機能を有することができる。通信方法２００及び通信デバイス１００における実施形態を組み合わせて相互に参照することができる。
【０１２８】
したがって、この実施形態が適用されるとき、セル結合シナリオにおいて、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。
【０１２９】
図７は、本発明の一実施形態による通信装置３００の概略ブロック図である。図７に示すように、装置３００は、取得ユニット３１０と、処理ユニット３２０と、送信ユニット３３０とを備える。
【０１３０】
取得ユニット３１０は、４チャネルの信号を取得するように構成される。４チャネルの信号は、装置３００の４つの論理ポートと１対１の対応関係にある。
【０１３１】
処理ユニット３２０は、４チャネルの信号における少なくとも２チャネルの信号に基づいてベースバンドデジタル信号を生成するように構成される。
【０１３２】
送信ユニット３３０は、ｎ個の物理アンテナを有するＲＲＵにベースバンドデジタル信号を送信するように構成される。それによって、ＲＲＵは、ｎ個の物理アンテナを用いることによって、ベースバンドデジタル信号が変換されたものである無線周波数信号を送信する。ここで、ｎは１又は２である。
【０１３３】
オプションで、本発明のこの実施形態における通信装置３００は、光ファイバーを用いることによって、ＲＲＵに接続されてもよい。
【０１３４】
したがって、本発明のこの実施形態が適用されるとき、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。
【０１３５】
オプションで、処理ユニット３２０が、４チャネルの信号における少なくとも２チャネルの信号に基づいてベースバンドデジタル信号を生成するように構成されることは：処理ユニット３２０が、４チャネルの信号におけるｍチャネルの信号を合算することによってベースバンドデジタル信号を生成するように構成されることを含む。ここで、ｍは２又は３又は４である。
【０１３６】
オプションで、図８に示すように、ｎ＝１のとき、装置３００は第１の決定ユニット３４０を更に備える。
【０１３７】
第１の決定ユニット３４０はｍ個の論理ポートを決定するように構成され、ここで、ｍ個の論理ポートに対応するｍチャネルの信号を用いてベースバンドデジタル信号が生成される。
【０１３８】
オプションで、第１の決定ユニット３４０がｍ個の論理ポートを決定するように構成されることは：第１の決定ユニット３４０が４つ全ての論理ポートを選択するように構成されること；又は第１の決定ユニット３４０が４つの論理ポートのうちの２つ若しくは３つを選択するように構成されることを含むことができる。
【０１３９】
オプションで、図８に示すように、装置３００は第１の設定ユニット３５０を更に備えることができる。
【０１４０】
第１の設定ユニット３５０は：第１の決定ユニット３４０が４つの論理ポートのうちの２つ又は３つを選択するとき、４つの論理ポートのうちの、第１の決定ユニット３４０によって選択されていない論理ポートが非接続状態になることを可能にするように構成される。
【０１４１】
オプションで、第１の決定ユニット３４０がｍ個の論理ポートを決定するように構成されることは：第１の決定ユニット３４０が、ｍ個の論理ポートのうちの保存又は取得された論理ポート番号に従って、ｍ個の論理ポートを決定するように構成されることを含む。
【０１４２】
代替的に、装置３００は、第１の記憶ユニット３６０を更に備えることができる。第１の記憶ユニット３６０は：第１の決定ユニット３４０がｍ個の論理ポートを決定した後、ｍ個の論理ポートの論理ポート番号を保存するように構成される。
【０１４３】
オプションで、ｎは２であり、ベースバンドデジタル信号は第１のベースバンドデジタル信号及び第２のベースバンドデジタル信号を含み；処理ユニット３２０が、４チャネルの信号における少なくとも２チャネルの信号に基づいてベースバンドデジタル信号を生成するように構成されることは：処理ユニット３２０が、４チャネルの信号のうちの２つの信号を合算することによって第１のベースバンドデジタル信号を生成し、４チャネルの信号のうちの他の２つの信号を合算することによって第２のベースバンドデジタル信号を生成するように構成されること；又は、処理ユニット３２０が、４チャネルの信号のうちの１つの信号を第１のベースバンドデジタル信号として用い、４チャネルの信号のうちの別の信号を第２のベースバンドデジタル信号として用いるように構成されることを含む。
【０１４４】
オプションで、図９に示すように、ｎ＝２のとき、装置３００は第２の決定ユニット３７０を更に備えることができる。
【０１４５】
第２の決定ユニット３７０は、第１のポートグループ及び第２のポートグループを決定するように構成される。ここで、第１のポートグループは４つの論理ポートのうちの２つの論理ポートを含み、この２つの論理ポートに対応する２つの信号を用いて第１のベースバンドデジタル信号が生成され；第２のポートグループは４つの論理ポートのうちの他の２つの論理ポートを含み、この他の２つの論理ポートに対応する２つの信号を用いて第２のベースバンドデジタル信号が生成され；又は、第１のポートグループは４つの論理ポートのうちの２つの論理ポートを含み、この２つの論理ポートのうちの１つの論理ポートに対応する１つの信号が第１のベースバンドデジタル信号として用いられ；第２のポートグループは４つの論理ポートのうちの他の２つの論理ポートを含み、この他の２つの論理ポートのうちの１つの論理ポートに対応する１つの信号が第２のベースバンドデジタル信号として用いられる。
【０１４６】
オプションで、図９に示すように、装置３００は第２の設定ユニット３８０を更に備えることができる。
【０１４７】
第２の設定ユニット３８０は、論理ポートのうちのいくつかが非接続状態になることを可能にするように構成される。ここで、論理ポートのうちのいくつかは、４チャネルの信号のうちの、第１のベースバンドデジタル信号及び第２のベースバンドデジタル信号を生成するのに用いられない信号と１対１の対応関係にある。
【０１４８】
オプションで、第２の決定ユニット３７０が第１のポートグループ及び第２のポートグループを決定するように構成されることは：第２の決定ユニット３７０が、第１のポートグループと２つの論理ポートの論理ポート番号との間の対応関係、及び第２のポートグループと他の２つの論理ポートの論理ポート番号との間の対応関係に従って第１のポートグループ及び第２のポートグループを決定するように構成されることを含む。ここで、対応関係はメモリによって保存されるか又は受信ユニットによって取得される。
【０１４９】
代替的に、図９に示すように、装置３００は：第２の決定ユニット３７０が第１のポートグループ及び第２のポートグループを決定した後、第１のポートグループと２つの論理ポートの論理ポート番号との間の対応関係、及び第２のポートグループと他の２つの論理ポートの論理ポート番号との間の対応関係を保存するように構成される第２の記憶ユニット３９０を更に備える。
【０１５０】
オプションで、装置３００はＢＢＵである。
【０１５１】
通信装置３００は通信デバイス１００におけるＢＢＵ１１０に対応することができ、また、通信装置３００は通信方法２２０におけるＢＢＵに対応することができ、それによって、通信方法２００においてＢＢＵによって実施される対応する手順を実施することができることに留意されたい。通信デバイス１００、通信方法２００及び通信装置３００における実施形態を組み合わせて相互に参照することができる。
【０１５２】
したがって、本発明のこの実施形態が適用されるとき、セル結合シナリオにおいて、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。
【０１５３】
図１０は、本発明の一実施形態によるＢＢＵ４００の概略ブロック図である。図１０に示すように、ＢＢＵ４００は、プロセッサ４１０と、メモリ４２０と、プロセッサ４１０及びメモリ４２０を接続するデータバス４３０とを備える。ここで、
プロセッサ４１０は、４チャネルの信号を取得するように構成され、ここで、４チャネルの信号はＢＢＵ４００の４つの論理ポートと１対１の対応関係にあり；
プロセッサ４１０は、４チャネルの信号における少なくとも２チャネルの信号に基づいてベースバンドデジタル信号を生成するように更に構成され；
プロセッサ４１０は、ｎ個の物理アンテナを有するＲＲＵにベースバンドデジタル信号を送信するように更に構成され、それによって、ＲＲＵは、ｎ個の物理アンテナを用いることによって、ベースバンドデジタル信号が変換されたものである無線周波数信号を送信する。ここで、ｎは１又は２である。
【０１５４】
したがって、本発明のこの実施形態が適用されるとき、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。
【０１５５】
本発明のこの実施形態におけるメモリ４２０は、プログラムコードを記憶することができることに留意されたい。本発明のこの実施形態におけるプロセッサ４１０は、メモリ４２０内に記憶されるプログラムコードを呼び出すことによって、実行される必要があるアクションを実行することができる。
【０１５６】
オプションで、本発明のこの実施形態におけるＢＢＵ４００は、光ファイバーを用いることによってＲＲＵに接続されてもよい。
【０１５７】
オプションで、ｎは１であり、プロセッサ４１０が４チャネルの信号における少なくとも２チャネルの信号に基づいてベースバンドデジタル信号を生成するように構成されることは：
プロセッサ４１０が、４チャネルの信号におけるｍチャネルの信号を合算することによってベースバンドデジタル信号を生成するように構成されることを含む。ここで、ｍは２又は３又は４である。
【０１５８】
オプションで、プロセッサ４１０はｍ個の論理ポートを決定するように更に構成される。ここで、ｍ個の論理ポートに対応するｍチャネルの信号を用いてベースバンドデジタル信号が生成される。
【０１５９】
オプションで、プロセッサ４１０がｍ個の論理ポートを決定するように構成されることは：プロセッサ４１０が４つ全ての論理ポートを選択するように構成されること；又はプロセッサ４１０が４つの論理ポートのうちの２つ若しくは３つを選択するように構成されることを含む。
【０１６０】
オプションで、プロセッサ４１０は：４つの論理ポートのうちの２つ又は３つを選択するとき、４つの論理ポートのうちの選択されていない論理ポートが非接続状態になることを可能にするように更に構成される。
【０１６１】
オプションで、プロセッサ４１０がｍ個の論理ポートを決定するように構成されることは：プロセッサ４１０が、ｍ個の論理ポートのうちの保存若しくは取得された論理ポート番号に従って、ｍ個の論理ポートを決定するように構成されること；又は、プロセッサ４１０がｍ個の論理ポートを決定するように構成された後、メモリ４２０がｍ個の論理ポートの論理ポート番号を保存するように構成されることを含む。
【０１６２】
オプションで、ｎは２であり、ベースバンドデジタル信号は第１のベースバンドデジタル信号及び第２のベースバンドデジタル信号を含み；プロセッサ４１０が、４チャネルの信号における少なくとも２チャネルの信号に基づいてベースバンドデジタル信号を生成するように構成されることは：プロセッサ４１０が、４チャネルの信号のうちの２つの信号を合算することによって第１のベースバンドデジタル信号を生成し、４チャネルの信号のうちの他の２つの信号を合算することによって第２のベースバンドデジタル信号を生成するように構成されること；又は、プロセッサ４１０が、４チャネルの信号のうちの１つの信号を第１のベースバンドデジタル信号として用い、４チャネルの信号のうちの別の信号を第２のベースバンドデジタル信号として用いるように構成されることを含む。
【０１６３】
オプションで、プロセッサ４１０は、第１のポートグループ及び第２のポートグループを決定するように更に構成される。ここで、第１のポートグループは４つの論理ポートのうちの２つの論理ポートを含み、この２つの論理ポートに対応する２つの信号を用いて第１のベースバンドデジタル信号が生成され；第２のポートグループは４つの論理ポートのうちの他の２つの論理ポートを含み、この他の２つの論理ポートに対応する２つの信号を用いて第２のベースバンドデジタル信号が生成され；又は、第１のポートグループは４つの論理ポートのうちの２つの論理ポートを含み、この２つの論理ポートのうちの１つの論理ポートに対応する１つの信号が第１のベースバンドデジタル信号として用いられ；第２のポートグループは４つの論理ポートのうちの他の２つの論理ポートを含み、この他の２つの論理ポートのうちの１つの論理ポートに対応する１つの信号が第２のベースバンドデジタル信号として用いられる。
【０１６４】
オプションで、プロセッサ４１０は、論理ポートのうちのいくつかが非接続状態になることを可能にするように更に構成される。ここで、論理ポートのうちのいくつかは、４チャネルの信号のうちの、第１のベースバンドデジタル信号及び第２のベースバンドデジタル信号を生成するのに用いられない信号と１対１の対応関係にある。
【０１６５】
オプションで、プロセッサ４１０が第１のポートグループ及び第２のポートグループを決定するように構成されることは：プロセッサ４１０が、第１のポートグループと２つの論理ポートの論理ポート番号との間の対応関係、及び第２のポートグループと他の２つの論理ポートの論理ポート番号との間の対応関係に従って第１のポートグループ及び第２のポートグループを決定するように構成されることを含み、ここで、対応関係はメモリ４２０によって保存されるか若しくはプロセッサ４１０によって取得され；又は、メモリ４２０が、プロセッサ４１０が第１のポートグループ及び第２のポートグループを決定した後、第１のポートグループと２つの論理ポートの論理ポート番号との間の対応関係、及び第２のポートグループと他の２つの論理ポートの論理ポート番号との間の対応関係を保存するように更に構成される。
【０１６６】
ＢＢＵ４００は通信デバイス１００におけるＢＢＵ１１０に対応することができ、また、ＢＢＵ４００は通信方法２００におけるＢＢＵに対応することができ、それによって、通信方法２００におけるＢＢＵによって実施される対応する手順を実施することができることに留意されたい。通信デバイス１００、通信方法２００及び通信装置３００における実施形態を組み合わせて相互に参照することができる。
【０１６７】
したがって、本発明のこの実施形態が適用されるとき、セル結合シナリオにおいて、４つの論理ポートを有するＢＢＵは、１チャネルＲＲＵ又は２チャネルＲＲＵについて更なる取得信号を処理し、１チャネルＲＲＵ又は２チャネルＲＲＵを用いることによって信号を送信することができる。更に、４つの論理ポートを有するＢＢＵは、更なる信号、例えば、４チャネルＲＲＵ又は８チャネルＲＲＵについて、４つの論理ポートに対応する信号を処理し、４チャネルＲＲＵ又は８チャネルＲＲＵを用いることによって信号を送信することができる。ＢＢＵは、ＢＢＵが共にセル結合を行うＲＲＵがより少ない数のアンテナを有する場合があることによる影響を受けず、それによって、ＢＢＵによって処理される信号の論理ポートの数がセル結合を実施するために低減されなくてはならない場合を回避し、セル容量を改善し、信号伝送品質を向上させる。
【０１６８】
当業者であれば、本明細書に開示されている実施形態において記載されている例と組み合わせて、電子ハードウェア又はコンピューターソフトウェア及び電子ハードウェアの組合せによって、ユニット及びアルゴリズムステップを実施することができることを認識し得る。機能がハードウェアによって実行されるか又はソフトウェアによって実行されるかは、特定の用途、及び技術的解決策の設計制約条件に依拠する。当業者であれば、特定の用途ごとに異なる方法を用いて、記載された機能を実施することができるが、これは実施態様が本発明の範囲を超えているとみなされるべきでない。
【０１６９】
当業者であれば、好都合で簡潔な説明のために、上記のシステム、装置及びユニットの詳細な作業プロセスにおいて、上述した方法実施形態における対応するプロセスへの言及、及び詳細は本明細書において再度記載されていないことを明確に理解することができる。
【０１７０】
本出願において提供されるいくつかの実施形態において、開示されているシステム、装置及び方法は、他の方式で実施されてもよいことを理解されたい。例えば、記載の装置実施形態は例示にすぎない。例えば、ユニット分割は、単に論理機能分割であり、実際の実施態様では他の分割であり得る。例えば、複数のユニット若しくはコンポーネントを組み合わせるか若しくは統合して別のシステムにしてもよく、又はいくつかの特徴は無視されるか若しくは実行されない場合がある。更に、表示又は検討された相互結合又は直接的な結合若しくは通信接続は、何らかのインターフェースを用いて実施されてもよい。装置又はユニット間の間接的な結合又は通信接続は、電子的に、機械的に、又は他の形態で実施され得る。
【０１７１】
別個の部分として記載されているユニットは、物理的に別個であっても別個でなくてもよく、ユニットとして表示されている部分は物理的ユニットであっても物理的ユニットでなくてもよく、１つの場所に位置してもよく、複数のネットワークユニットに分散されてもよい。ユニットのいくつか又は全てを実際の必要性に応じて選択し、実施形態の解決策の目的を達成することができる。
【０１７２】
更に、本発明の実施形態における機能ユニットは、１つの処理ユニットに統合されてもよく、又はユニットのそれぞれが物理的に単独で存在してもよく、又は２つ以上のユニットが１つのユニットに統合される。
【０１７３】
機能がソフトウェア機能ユニットの形態で実施され、独立した製品として販売又は使用されるとき、これらの機能はコンピューター可読ストレージ媒体に記憶することができる。そのような理解に基づいて、本発明の技術的解決策を本質的に、又は従来技術に寄与する部分を、又は技術的解決策のうちのいくつかを、ソフトウェア製品の形態で実施することができる。コンピューターソフトウェア製品はストレージ媒体に記憶され、コンピューターデバイス（パーソナルコンピューター、サーバー又はネットワークデバイスとすることができる）に、本発明の実施形態において記載した方法のステップの全て又はいくつかを実行するように命令するためのいくつかの命令を含む。上記のストレージ媒体は：ＵＳＢフラッシュドライブ、リムーバブルハードディスク、リードオンリーメモリ（ＲＯＭ，Ｒｅａｄ−Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク又は光ディスク等のプログラムコードを記憶することができる任意の媒体を含む。
【０１７４】
上記の記載は、本発明の具体的な実施方式にすぎず、本発明の保護範囲を制限することを意図するものではない。本発明において開示されている技術的範囲内にある、当業者によって容易に考え出すことができる任意の変形及び置換えは、本発明の保護範囲内にあるものとする。したがって、本発明の保護範囲は特許請求の範囲の保護範囲下にあるものとする。
【図１】
2018029372.tif 000003
【図２】
2018029372.tif 000004
【図３ａ】
2018029372.tif 000005
【図３ｂ】
2018029372.tif 000006
【図３ｃ】
2018029372.tif 000007
【図３ｄ】
2018029372.tif 000008
【図４ａ】
2018029372.tif 000009
【図４ｂ】
2018029372.tif 000010
【図４ｃ】
2018029372.tif 000011
【図５ａ】
2018029372.tif 000012
【図５ｂ】
2018029372.tif 000013
【図５ｃ】
2018029372.tif 000014
【図５ｄ】
2018029372.tif 000015
【図６】
2018029372.tif 000016
【図７】
2018029372.tif 000017
【図８】
2018029372.tif 000018
【図９】
2018029372.tif 000019
【図１０】
2018029372.tif 000020
【手続補正書】
【提出日】平成29年10月5日(2017.10.5)
【手続補正１】
【補正対象書類名】特許請求の範囲
【補正対象項目名】全文
【補正方法】変更
【補正の内容】
【特許請求の範囲】
【請求項１】
通信装置であって、
４チャネルの信号を取得するように構成される取得ユニットであって、前記４チャネルの信号は、前記通信装置の４つの論理ポートと１対１の対応関係にある、取得ユニットと、
前記４チャネルの信号における少なくとも２チャネルの信号に基づいてベースバンドデジタル信号を生成するように構成される処理ユニットと、
前記通信装置によって、前記ベースバンドデジタル信号を、ｎ個の物理アンテナを有するリモート無線ユニットＲＲＵに送信するように構成される送信ユニットであって、それによって、前記ＲＲＵが、前記ｎ個の物理アンテナを用いることによって、前記ベースバンドデジタル信号が変換されたものである無線周波数信号を送信し、前記ｎは１又は２である、送信ユニットと、
を備える、通信装置。
【請求項２】
前記ｎは１であり、前記処理ユニットが、前記４チャネルの信号における少なくとも２チャネルの信号に基づいてベースバンドデジタル信号を生成するように構成されることは、
前記処理ユニットが、前記４チャネルの信号におけるｍチャネルの信号を合算することによって前記ベースバンドデジタル信号を生成するように構成されることを含み、ここで、前記ｍは２又は３又は４である、請求項１に記載の通信装置。
【請求項３】
前記通信装置は、
ｍ個の論理ポートを決定するように構成される第１の決定ユニットを更に備え、前記ｍ個の論理ポートに対応する前記ｍチャネルの信号を用いて前記ベースバンドデジタル信号が生成される、請求項２に記載の通信装置。
【請求項４】
前記第１の決定ユニットが前記ｍ個の論理ポートを決定するように構成されることは、
前記第１の決定ユニットが前記４つの論理ポートの全てを選択するように構成されること、又は、
前記第１の決定ユニットが前記４つの論理ポートのうちの２つ若しくは３つを選択するように構成されること、
を含む、請求項３に記載の通信装置。
【請求項５】
前記通信装置は、
前記第１の決定ユニットが前記４つの論理ポートのうちの２つ又は３つを選択するとき、前記４つの論理ポートのうちの、前記第１の決定ユニットによって選択されていない論理ポートが非接続状態になることを可能にするように構成される、第１の設定ユニットを更に備える、請求項４に記載の通信装置。
【請求項６】
前記第１の決定ユニットがｍ個の論理ポートを決定するように構成されることは、前記第１の決定ユニットが、前記ｍ個の論理ポートのうちの保存若しくは取得された論理ポート番号に従って、前記ｍ個の論理ポートを決定するように構成されることを含み、又は、
前記通信装置は第１の記憶ユニットを更に備え、前記第１の記憶ユニットは、前記第１の決定ユニットが前記ｍ個の論理ポートを決定した後、前記ｍ個の論理ポートの論理ポート番号を保存するように構成される、請求項３から５のいずれか一項に記載の通信装置。
【請求項７】
前記ｎは２であり、前記ベースバンドデジタル信号は第１のベースバンドデジタル信号及び第２のベースバンドデジタル信号を含み、前記処理ユニットが、前記４チャネルの信号における少なくとも２チャネルの信号に基づいてベースバンドデジタル信号を生成することは、
前記処理ユニットが、前記４チャネルの信号のうちの２つの信号を合算することによって前記第１のベースバンドデジタル信号を生成し、前記４チャネルの信号のうちの他の２つの信号を合算することによって前記第２のベースバンドデジタル信号を生成するように構成されること、又は、
前記処理ユニットが、前記４チャネルの信号のうちの１つの信号を前記第１のベースバンドデジタル信号として用い、前記４チャネルの信号のうちの別の信号を前記第２のベースバンドデジタル信号として用いるように構成されること、
を含む、請求項１に記載の通信装置。
【請求項８】
前記通信装置は、
第１のポートグループ及び第２のポートグループを決定するように構成される第２の決定ユニットを更に備え、
前記第１のポートグループは前記４つの論理ポートのうちの２つの論理ポートを含み、前記２つの論理ポートに対応する２つの信号を用いて前記第１のベースバンドデジタル信号が生成され、前記第２のポートグループは前記４つの論理ポートのうちの他の２つの論理ポートを含み、前記他の２つの論理ポートに対応する２つの信号を用いて前記第２のベースバンドデジタル信号が生成され、又は、
前記第１のポートグループは前記４つの論理ポートのうちの２つの論理ポートを含み、前記２つの論理ポートのうちの１つの論理ポートに対応する１つの信号が前記第１のベースバンドデジタル信号として用いられ、前記第２のポートグループは前記４つの論理ポートのうちの他の２つの論理ポートを含み、前記他の２つの論理ポートのうちの１つの論理ポートに対応する１つの信号が前記第２のベースバンドデジタル信号として用いられる、請求項７に記載の通信装置。
【請求項９】
前記通信装置は、前記論理ポートのうちのいくつかが非接続状態になることを可能にするように構成される第２の設定ユニットを更に備え、前記論理ポートのうちの前記いくつかは、前記４チャネルの信号のうちの、前記第１のベースバンドデジタル信号及び前記第２のベースバンドデジタル信号を生成するのに用いられない信号と１対１の対応関係にある、請求項８に記載の通信装置。
【請求項１０】
前記第２の決定ユニットが第１のポートグループ及び第２のポートグループを決定するように構成されることは、前記第２の決定ユニットが、前記第１のポートグループと前記２つの論理ポートの論理ポート番号との間の対応関係、及び前記第２のポートグループと他の２つの論理ポートの論理ポート番号との間の対応関係に従って前記第１のポートグループ及び前記第２のポートグループを決定するように構成されることを含み、前記対応関係はメモリによって保存されるか若しくは受信ユニットによって取得され、又は、
前記通信装置は、前記第２の決定ユニットが前記第１のポートグループ及び前記第２のポートグループを決定した後、前記第１のポートグループと前記２つの論理ポートの論理ポート番号との間の対応関係、及び前記第２のポートグループと前記他の２つの論理ポートの論理ポート番号との間の対応関係を保存するように構成される第２の記憶ユニットを更に備える、請求項８又は９に記載の通信装置。
【外国語明細書】
2018029372000001.pdf